(57)【特許請求の範囲】
【請求項１】
所定条件が成立すると、取得情報を取得する取得手段と、
始動条件が成立すると、前記取得情報に基づいて、特別遊技を行うか否かの特別遊技判定を行う特別遊技判定手段と、
前記始動条件の成立に応じて、図柄表示手段において所定の図柄を変動させてから停止させることにより、前記特別遊技判定手段による判定の結果を報知する図柄表示制御手段と、
前記図柄が変動されているときに前記取得手段によって前記取得情報が取得された場合、当該取得情報を記憶して前記特別遊技判定の権利として保留する保留記憶手段と、
前記始動条件が成立する前に、前記取得手段によって取得された取得情報に基づいて、特別遊技を行うか否かの判定（以下、事前判定）を行う事前判定手段と、
所定の示唆演出を行う示唆演出実行手段と、
前記所定の図柄が変動したことに応じて、演出図柄表示手段において、複数の演出図柄を変動させる演出制御手段と、を備え、
前記演出制御手段は、
前記事前判定の結果に基づいて、当該事前判定の対象となった権利に係る前記図柄の変動よりも前の変動（以下、特定変動）において、当該特定変動が終了する際に、特定態様の演出図柄を前記演出図柄表示手段の所定の領域に停止させる第１演出制御手段を含み、
前記示唆演出実行手段は、前記事前判定の結果に基づいて、前記第１演出制御手段によって前記特定態様の演出図柄が前記所定の領域に停止される前に、当該特定態様と同様の態様の演出図柄を示す画像を当該所定の領域に表示する、遊技機。
【発明の詳細な説明】
【技術分野】
【０００１】
本発明は、始動条件の成立に応じた当たり判定の権利を保留することができる遊技機に関する。
【背景技術】
【０００２】
従来より、遊技媒体が始動領域を通過したことに応じて当たり判定の権利を保留し、当該保留された権利に対して事前判定を行う遊技機が存在する。例えば、特許文献１に記載の遊技機では、遊技球が始動口に入賞したことに応じて各乱数を取得し、取得した乱数を用いて先読みを行い、大当たりか否か等を判定する。そして、先読み判定の結果に基づいて、先読み予告演出を行う。
【先行技術文献】
【特許文献】
【０００３】
【特許文献１】特開２０１２−７５５２７号公報
【発明の概要】
【発明が解決しようとする課題】
【０００４】
しかしながら、上記特許文献１では、図柄の変動中に所定の演出画像を表示して予告演出を行う遊技機が記載されており、予告演出の多様化、興趣性の向上という点においては改善の余地があった。
【０００５】
本発明は、かかる問題に鑑みてなされたものであり、当たり判定の権利に対する事前判定の結果に基づく演出を行う場合において、より興趣性を向上させることが可能な遊技機を提供することを目的とする。
【課題を解決するための手段】
【０００６】
本発明は、上記の課題を解決するために以下の構成を採用した。
【０００７】
本発明に係る遊技機は、所定条件が成立すると、取得情報を取得する取得手段と、始動条件が成立すると、前記取得情報に基づいて、特別遊技を行うか否かの特別遊技判定を行う特別遊技判定手段と、前記始動条件の成立に応じて、図柄表示手段において所定の図柄を変動させてから停止させることにより、前記特別遊技判定手段による判定の結果を報知する図柄表示制御手段と、前記図柄が変動されているときに前記取得手段によって前記取得情報が取得された場合、当該取得情報を記憶して前記特別遊技判定の権利として保留する保留記憶手段と、前記始動条件が成立する前に、前記取得手段によって取得された取得情報に基づいて、特別遊技を行うか否かの判定（以下、事前判定）を行う事前判定手段と、所定の示唆演出を行う示唆演出実行手段と、前記所定の図柄が変動したことに応じて、演出図柄表示手段において、複数の演出図柄を変動させる演出制御手段と、を備え、前記演出制御手段は、前記事前判定の結果に基づいて、当該事前判定の対象となった権利に係る前記図柄の変動よりも前の変動（以下、特定変動）において、当該特定変動が終了する際に、特定態様の演出図柄を前記演出図柄表示手段の所定の領域に停止させる第１演出制御手段を含み、前記示唆演出実行手段は、前記事前判定の結果に基づいて、前記第１演出制御手段によって前記特定態様の演出図柄が前記所定の領域に停止される前に、当該特定態様と同様の態様の演出図柄を示す画像を当該所定の領域に表示する。
【０００８】
また、他の構成では、前記第１演出制御手段は、前記特定の態様として、特定の演出図柄を前記演出図柄表示手段に停止させ、前記示唆演出実行手段は、前記特定の演出図柄が停止することを示唆してもよい。
【０００９】
また、他の構成では、前記第１演出制御手段は、前記特定変動において前記所定の図柄が停止された場合に前記特定の演出図柄を停止させた後、前記事前判定の対象となった権利に係る変動において第１特定演出を行ってもよい。
【００１０】
また、他の構成では、前記演出制御手段は、前記図柄表示制御手段による前記所定の図柄の変動中に、当該変動に係る前記取得情報に基づいて、前記特定の演出図柄を前記演出図柄表示手段に仮停止させた後、当該変動中に第２特定演出を実行する第２演出制御手段を含み、前記示唆演出実行手段は、前記第２演出制御手段によって前記特定の演出図柄が仮停止されることをも示唆してもよい。
【発明の効果】
【００１１】
この発明によれば、当たり判定の権利に対する事前判定の結果に基づいて、興趣性をより高める演出を行うことができる。
【図面の簡単な説明】
【００１２】
【図１】パチンコ遊技機１の概略正面図
【図２】図１における表示器４の拡大図
【図３】特定領域９の内部構造を示す概略斜視図
【図４】大当たりと遊技状態について説明するための説明図
【図５】パチンコ遊技機１の構成を示すブロック図
【図６】第１特別図柄表示器４１において特別図柄の変動中にメイン液晶表示装置５に表示される画像の一例を示す図
【図７】本実施形態のパチンコ遊技機１に用意されている装飾図柄の種類を示す図
【図８】本実施形態に係るパチンコ遊技機１の装飾図柄を用いた演出の流れを示す図
【図９】Ｓ図柄の仮停止からＳ図柄リーチに発展する様子を示す図
【図１０】Ｓ図柄の仮停止から擬似連に発展する様子を示す図
【図１１】図１０に示す擬似連が継続した後、当該変動が終了するまでの様子を示す図
【図１２】Ｓ図柄本停止による先読み予告演出の一例を示す図
【図１３】Ｓ図柄の本停止からゾーン演出に突入するまでの一連の演出を示す図
【図１４】ゾーン演出の実行期間の一例を示す図
【図１５】保留アイコン５２を用いてＳ図柄が停止することを予告する例を示す図であり、Ｓ図柄の停止を伴う上記擬似連又はリーチ演出に対する予告が行われる場合を示す図
【図１６】保留アイコン５２を用いてＳ図柄が停止することを予告する例を示す図であり、上記Ｓ図柄本停止による先読み予告演出に対する予告が行われる場合を示す図
【図１７】Ｓ図柄が停止することを予告する他の例を示す図
【図１８】遊技制御基板１００において実行されるタイマ割込み処理の一例を示すフローチャート
【図１９】図１８のステップＳ２におけるスイッチ処理の詳細フローチャート
【図２０】図１９のステップＳ２１における第１始動口スイッチ処理の詳細フローチャート
【図２１】図１９のステップＳ２２における第２始動口スイッチ処理の詳細フローチャート
【図２２】図１９のステップＳ２３におけるゲートスイッチ処理の詳細フローチャート
【図２３】図１８のステップＳ３における特別図柄処理の詳細フローチャート
【図２４】図２３のステップＳ３０７における大当たり判定処理の詳細フローチャート
【図２５】図２３のステップＳ３１９における停止中処理の詳細フローチャート
【図２６】図１８のステップＳ４における普通図柄処理の詳細フローチャート
【図２７】図１８のステップＳ５における電動チューリップ処理の詳細フローチャート
【図２８】図１８のステップＳ６における特定領域開放制御処理の詳細フローチャート
【図２９】図１８のステップＳ６における特定領域開放制御処理の詳細フローチャート
【図３０】図１８のステップＳ７における大入賞口開放制御処理の詳細フローチャート
【図３１】図３０のステップＳ７２における長当たり遊技制御処理の詳細フローチャート
【図３２】図３１のステップＳ７４５における遊技状態設定処理の詳細フローチャート
【図３３】演出制御基板１３０において実行されるタイマ割込み処理の一例を示すフローチャート
【図３４】図３３のステップＳ１０におけるコマンド制御処理の詳細フローチャート
【図３５】図３４のステップＳ１３０４の先読み予告演出判定処理の詳細フローチャート
【図３６】図３４のステップＳ１３０８の変動演出決定処理の詳細フローチャート
【図３７】遊技制御基板１００において決定される大当たり時の変動パターンの一例を示す図
【図３８】遊技制御基板１００において決定されるリーチ時の変動パターンの一例を示す図
【図３９】ゾーン演出が１変動において行われる場合における特定変動に対応する保留アイコンの表示態様が変化する様子を示す図
【図４０】ゾーン演出が３変動にわたって行われる場合における特定変動に対応する保留アイコンの表示態様が変化する様子を示す図
【発明を実施するための形態】
【００１３】
以下、適宜図面を参照しつつ、本発明の遊技機の一実施形態に係るパチンコ遊技機１について説明する。
【００１４】
［パチンコ遊技機１の概略構成例］
まず、図１を参照しつつ、パチンコ遊技機１の概略構成について説明する。ここで、図１は、パチンコ遊技機１の概略正面図である。パチンコ遊技機１は、本実施形態では、１種２種混合タイプと呼ばれるパチンコ遊技機である。図１に示されるように、パチンコ遊技機１は、入賞や判定に関する役物等が設けられた遊技盤２と、遊技盤２を囲む枠部材３とを備えている。枠部材３は、遊技盤２と所定の間隔を隔てて平行配置された透明なガラス板を支持しており、このガラス板と遊技盤２とによって、遊技球が流下可能な遊技領域１０が形成されている。
【００１５】
遊技者がハンドル２０を握ってレバー２１を時計方向に回転させると、皿２８に溜められた遊技球が発射装置（不図示）へと案内され、ハンドル２０の回転角度に応じた打球力で遊技領域１０へと発射される。この遊技領域１０には、不図示の遊技クギや風車等が設けられており、発射された遊技球は、遊技領域１０における上部位置へと案内され、遊技クギや風車等に接触することでその移動方向を変化させながら遊技盤２に沿って落下する。なお、遊技球の発射は、遊技者が停止ボタン２２を操作することによって一時的に停止される。
【００１６】
また、皿２８と近接配置された取り出しボタン２３を遊技者が操作すると、皿２８の下面の一部が開口されて、皿２８に溜まった遊技球が皿２８の下方に配置された不図示の箱に落下する。なお、皿２８は、発射装置へ供給される遊技球及び賞球を溜める上皿と、賞球を溜める下皿との２つの皿によって構成されてもよい。
【００１７】
遊技者がハンドル２０を小さい回転角で回転させた状態を維持するいわゆる「左打ち」を行うと、遊技球が相対的に弱い打球力で打ち出される。この場合、遊技球は、矢印３１に例示されるように遊技領域１０における左側領域を流下する。一方、遊技者がハンドル２０を大きい回転角で回転させた状態を維持するいわゆる「右打ち」を行うと、遊技球が相対的に強い打球力で打ち出される。この場合、遊技球は、矢印３２に例示されるように遊技領域１０における右側領域を流下する。
【００１８】
左打ちされた遊技球の通過経路には、入賞や判定に関する役物として、第１始動口１１、第２始動口１２、２つの普通入賞口１４、及び電動チューリップ１７が設けられている。また、右打ちされた遊技球の通過経路には、入賞や判定に関する役物として、上記第２始動口１２、大入賞口１３、２つの普通入賞口１４、ゲート１６、上記電動チューリップ１７、特定入賞口１９、及び羽根部材９０が設けられている。
【００１９】
遊技領域１０に打ち出された遊技球は、遊技盤２に沿って流下する過程で、第１始動口１１、第２始動口１２、大入賞口１３、及び普通入賞口１４のいずれかに入球して入賞する。これにより、入賞した箇所に応じた所定数の賞球が皿２８に払い出される。なお、入賞しなかった遊技球は、排出口１８を介して遊技領域１０から排出される。
【００２０】
第１の入賞領域としての第１始動口１１は、常時開放されている始動口であり、第２の入賞領域としての第２始動口１２は、普通電動役物としての電動チューリップ１７が作動しているときだけ開放される始動口である。パチンコ遊技機１では、遊技球が第１始動口１１を通過して入賞した場合、又は遊技球が第２始動口１２を通過して入賞した場合、遊技者にとって有利な特別遊技（大当たり遊技）を実行するか否かが判定され、その判定結果が後述する表示器４に表示される。
【００２１】
なお、以下の説明では、第１始動口１１への遊技球の入賞を条件として実行される判定（当たり判定）を「第１特別図柄判定」と呼び、第２始動口１２への遊技球の入賞を条件として実行される判定を「第２特別図柄判定」と呼び、これらの判定を総称して「特別図柄判定（抽選）」と呼ぶものとする。
【００２２】
大入賞口１３は、特別図柄判定の結果に応じて開放される。この大入賞口１３の開口部には、大入賞口１３を開閉するプレートが設けられている。大入賞口１３は、通常はこのプレートによって閉塞されている。これに対して、特別図柄判定の結果が大当たりであることを示す所定の大当たり図柄が表示器４に停止表示された場合、すなわち１種大当たりが発生した場合、上記プレートを作動させて大入賞口１３を開放する特別遊技が実行される。このため、遊技者は、特別遊技中に右打ちを行うことで、特別遊技が行われていないときに比べてより多くの賞球を得ることができる。なお、第２特別図柄判定の結果が小当たりであることを示す所定の小当たり図柄が表示器４に停止表示されると、後述する羽根部材９０を作動させて特定入賞口１９を開放する小当たり遊技が実行される。この小当たり遊技中には、Ｖ入賞口９２（図３参照）が一時的に開放され、この間にＶ入賞口９２に遊技球が入賞することで２種大当たりが発生する。大入賞口１３は、このように２種大当たりが発生した場合にも開放される。
【００２３】
電動チューリップ１７は、第２始動口１２に近接配置されており、一対の羽根部材を有している。この電動チューリップ１７は、一対の羽根部材が第２始動口１２を閉塞する閉姿勢（図１参照）と、第２始動口１２を開放する開姿勢（不図示）とに姿勢変化可能に構成されている。
【００２４】
第２始動口１２は、図１に示されるように、通常は電動チューリップ１７によって閉塞されている。これに対して、遊技球がゲート１６を通過すると、賞球の払い出しは行われないものの、第２始動口１２を開放するか否かが判定される。ここで、第２始動口１２を開放すると判定された場合、電動チューリップ１７の一対の羽根部材が規定時間開姿勢を維持した後に閉姿勢に戻る動作が規定回数行われる。このように、第２始動口１２は、電動チューリップ１７が作動していないときには遊技球が入賞し難い状態であるのに対して、電動チューリップ１７が作動することによって遊技球が入賞し易い状態となる。なお、以下の説明では、ゲート１６への遊技球の入賞を条件として実行される判定を「普通図柄判定」と呼ぶものとする。
【００２５】
普通入賞口１４は、第１始動口１１と同様に常時開放されており、遊技球の入賞によって所定個数の賞球が払い出される入賞口である。なお、第１始動口１１等とは異なり、普通入賞口１４に遊技球が入賞しても判定が行われることはない。
【００２６】
後述するメイン液晶表示装置５の前面側には、特別図柄判定の結果に応じて一時的に開放される特定領域９が設けられている。この特定領域９については、図３に基づいて後に詳述する。
【００２７】
［表示器４の構成例］
図２は、図１における表示器４の拡大図である。表示器４は、主に特別図柄判定や普通図柄判定に関する情報を表示するものであり、図２に示されるように、第１特別図柄表示器４１、第２特別図柄表示器４２、第１特別図柄保留表示器４３、普通図柄表示器４５、普通図柄保留表示器４６、及び遊技状態表示器４７を有して構成されている。
【００２８】
第１特別図柄表示器４１は、第１特別図柄判定が行われると、図柄（第１特別図柄）を変動表示してから第１特別図柄判定の判定結果を示す判定図柄を停止表示することによって第１特別図柄判定の判定結果を報知する。この第１特別図柄表示器４１には、第１特別図柄判定の結果が大当たり（１種大当たり）であることを示す大当たり図柄、又は第１特別図柄判定の結果がハズレであることを示すハズレ図柄が停止表示される。
【００２９】
第２特別図柄表示器４２は、第２特別図柄判定が行われると、図柄（第２特別図柄）を変動表示してから第２特別図柄判定の判定結果を示す判定図柄を停止表示することによって第２特別図柄判定の判定結果を報知する。この第２特別図柄表示器４２には、第２特別図柄判定の結果が大当たり（１種大当たり）であることを示す大当たり図柄、第２特別図柄判定の結果が小当たりであることを示す小当たり図柄、又は第２特別図柄判定の結果がハズレであることを示すハズレ図柄が停止表示される。
【００３０】
ところで、特別図柄判定に係る図柄の変動表示中や特別遊技中に第１始動口１１に新たに遊技球が入賞した場合、この入賞を契機とする第１特別図柄判定及び図柄の変動表示を即座に実行することができない。そこで、本実施形態におけるパチンコ遊技機１は、第１始動口１１に遊技球が入賞しても即座に第１特別図柄判定を実行できない場合に、第１特別図柄判定の権利が保留されるように構成されている。第１特別図柄保留表示器４３は、このようにして保留された第１特別図柄判定の保留数を表示する。
【００３１】
なお、パチンコ遊技機１では、第２始動口１２に遊技球が入賞しても第２特別図柄判定及び図柄の変動表示を即座に実行できない場合、すなわち特別図柄判定に係る図柄の変動表示中や特別遊技中に第２始動口１２に新たに遊技球が入賞した場合には、第２特別図柄判定は実行されず、また、第２特別図柄判定の権利が保留されることもない。このため、表示器４には、第２特別図柄判定の保留数を表示する表示器は設けられていない。
【００３２】
普通図柄表示器４５は、普通図柄判定が行われると、図柄（普通図柄）を変動表示してから普通図柄判定の判定結果を示す判定図柄を停止表示することによって普通図柄判定の判定結果を報知する。なお、例えば普通図柄表示器４５における図柄の変動表示中など、遊技球がゲート１６を通過しても普通図柄判定及び普通図柄判定に係る図柄の変動表示を即座に実行できない場合には、普通図柄判定の権利が保留される。普通図柄保留表示器４６は、このようして保留された普通図柄判定の保留数を表示する。遊技状態表示器４７は、パチンコ遊技機１の電源投入時点における遊技状態を表示する。パチンコ遊技機１の遊技状態については、図４に基づいて後に詳述する。
【００３３】
なお、以下の説明では、第１特別図柄表示器４１又は第２特別図柄表示器４２に表示される図柄を「特別図柄」と呼び、普通図柄表示器４５に表示される図柄を「普通図柄」と呼ぶものとする。
【００３４】
［特定領域９の構成例］
図３は、特定領域９の内部構造を示す模式図である。図３における鉛直方向３４及び幅方向３５は、図１における鉛直方向３４及び幅方向３５と対応しており、それぞれ、パチンコ遊技機１の鉛直方向と幅方向を示している。特定領域９は、小当たりが発生することによって遊技球が進入可能に開放される領域であり、その入口である特定入賞口１９には、特定入賞口１９を開閉する羽根部材９０が設けられている。
【００３５】
本実施形態におけるパチンコ遊技機１では、第１特別図柄表示器４１又は第２特別図柄表示器４２に特別図柄判定の結果が「大当たり」であることを示す大当たり図柄が判定図柄として停止表示されると、１種大当たりとなって第１特別遊技が実行される。
【００３６】
なお、本実施形態では、第１特別遊技として、長当たり遊技と短当たり遊技の２種類の特別遊技が設けられている。ここで、長当たり遊技は、所定条件（例えば大入賞口１３への９個の遊技球の入賞、又は大入賞口１３が開放されてから２９秒が経過）を満たすまで大入賞口１３を開放した状態を維持した後に大入賞口１３を閉塞する長開放ラウンド遊技を規定回数実行するものである。本実施形態では、１種大当たりに対する長当たり遊技として、長開放ラウンド遊技が４回実行される４Ｒ長当たり遊技と、長開放ラウンド遊技が７回実行される７Ｒ長当たり遊技と、長開放ラウンド遊技が１５回実行される１５Ｒ長当たり遊技との３種類の長当たり遊技が設けられている。一方の短当たり遊技は、大入賞口１３を開放してから所定時間（例えば０．２秒）が経過するまで大入賞口１３を開放した状態を維持した後に大入賞口１３を閉塞する短開放ラウンド遊技を規定回数（例えば１５回）実行する１５Ｒ短当たり遊技である。
【００３７】
これに対して、第２特別図柄表示器４２に第２特別図柄判定の結果が「小当たり」であることを示す小当たり図柄が判定図柄として停止表示されると、羽根部材９０を作動させて特定領域９を開放する小当たり遊技が実行される。この小当たり遊技では、特定領域９を開放してから所定時間（例えば３．２秒）が経過するまで特定領域９を開放した状態を維持した後に特定領域９を閉塞する羽根部材９０の動作が規定回数（例えば１回）実行される。このように、小当たりが発生することで、特定領域９への遊技球の進入が可能になる。
【００３８】
図３に示されるように、特定領域９には、案内部材９１、Ｖ入賞口９２、ハズレ入賞口９３、及びスライド部材９４が設けられている。案内部材９１は、特定入賞口１９から特定領域９に進入した遊技球をＶ入賞口９２又はハズレ入賞口９３へと案内するものである。Ｖ入賞口９２又はハズレ入賞口９３に遊技球が入賞した場合、所定数の賞球が払い出される。ハズレ入賞口９３が常時開放されているのに対して、Ｖ入賞口９２は、通常はスライド部材９４によって閉塞されており、特定入賞口１９が開放された後の所定期間だけ開放される。具体的には、本実施形態では、特定入賞口１９が開放されてから例えば０．５秒後にスライド部材９４がスライドしてＶ入賞口９２が開放され、Ｖ入賞口９２の開放から０．２秒が経過するとスライド部材９４が図３に示される元の位置に戻ってＶ入賞口９２が閉塞される。
【００３９】
そして、このＶ入賞口９２の開放期間にＶ入賞口９２に遊技球が入賞（Ｖ入賞）することで、２種大当たりが発生し、既に行われた小当たり遊技を含む第２特別遊技が実行される。すなわち、２種大当たりが発生した場合、小当たり遊技に続いて長当たり遊技が実行される。具体的には、特定領域９を３．２秒間だけ開放する小当たり遊技に続いて、大入賞口１３を長開放する３回の長開放ラウンド遊技からなる長当たり遊技、又は大入賞口１３を長開放する１４回の長開放ラウンド遊技からなる長当たり遊技が実行される。すなわち、１回の小当たり遊技と３回の長開放ラウンド遊技とを含む計４Ｒの特別遊技、又は１回の小当たり遊技と１４回の長開放ラウンド遊技とを含む計１５Ｒの特別遊技が実行される。
【００４０】
このように、１種大当たりによる特別遊技では大入賞口１３のみを開放するラウンド遊技から構成される第１特別遊技が実行されるのに対して、２種大当たりによる特別遊技では特定領域９を開放する小当たり遊技と大入賞口１３を開放するラウンド遊技とから構成される第２特別遊技が実行される。なお、Ｖ入賞口９２の開放期間中に遊技球がＶ入賞口９２に入賞しなかった場合、小当たり遊技に続いて大入賞口１３が開放されることはないため、第２特別遊技は小当たり遊技のみの１Ｒで終了することになる。
【００４１】
なお、本実施形態では、Ｖ入賞口９２がスライド部材９４によって開閉される場合について説明するが、パチンコ遊技機１の奥行方向を軸方向として回動する羽根部材によってＶ入賞口９２を開閉するようにしてもよい。また、１回の小当たり遊技中の羽根部材９０の動作パターン（特定入賞口１９を開放する時間及び回数）等も適宜変更可能である。
【００４２】
［遊技状態の変化の説明］
次に、図４を参照しつつ、パチンコ遊技機１の遊技状態について説明する。ここで、図４は、大当たりと遊技状態について説明するための説明図である。図４に示されるように、本実施形態におけるパチンコ遊技機１は、「通常遊技状態」又は「時短遊技状態」にて遊技が制御される。
【００４３】
「通常遊技状態」は、いわゆる電チューサポート機能（「電サポ」ということがある）が付与されない通常の遊技状態である。「通常遊技状態」は、具体的には、普通図柄判定において第２始動口１２を開放すると判定される割合が相対的に低い割合（例えば１／１２）に設定され、普通図柄の変動時間が相対的に長い時間（例えば２５秒）に設定され、且つ第２始動口１２を開放すると判定された場合の第２始動口１２の開放時間が相対的に短い時間（例えば０．１秒×１回）に設定される遊技状態である。このため、通常遊技状態では、第２始動口１２が開放されても、第２始動口１２に遊技球が入賞する確率は極めて低くなる。
【００４４】
「時短遊技状態」は、電チューサポート機能が付与される遊技状態である。「時短遊技状態」は、具体的には、普通図柄判定において第２始動口１２を開放すると判定される割合が相対的に高い割合（例えば１２／１２）に設定され、普通図柄の変動時間が相対的に短い時間（例えば２秒）に設定され、且つ第２始動口１２を開放すると判定された場合の第２始動口１２の開放時間が相対的に長い時間（例えば０．３秒×５回）に設定される遊技状態である。すなわち、「時短遊技状態」は、通常遊技状態に比べて、第２始動口１２が開放状態に制御され易い遊技状態であり、第２始動口１２に遊技球が入賞し易い状態である。
【００４５】
遊技盤２の盤面構成上、遊技領域１０の左側領域に打ち出された遊技球は第１始動口１１に入賞可能であるのに対して、遊技領域１０の右側領域に打ち出された遊技球が第１始動口１１に入賞することはない。また、「通常遊技状態」のときには第２始動口１２は開放状態になり難い。このため、「通常遊技状態」のときに右打ちを行うメリットはない。このように、「通常遊技状態」は、遊技球を遊技領域１０の左側領域に打ち出した方が右側領域に打ち出すよりも大当たりを引き当てやすい左側有利状態であるため、遊技者は、メイン液晶表示装置５に表示されるメッセージやスピーカ２４から出力される音声ガイダンスに従って左打ちを行うことになる。
【００４６】
「通常遊技状態」のときに遊技者が左打ちを行って遊技領域１０の左側領域に打ち出された遊技球が第１始動口１１に入賞すると、第１特別図柄判定が行われ、第１特別図柄表示器４１に特別図柄が変動表示された後にその第１特別図柄判定の結果を示す判定図柄が停止表示される。ここで、第１特別図柄判定によって１種大当たりと判定された場合には第１特別図柄表示器４１にその旨を示す大当たり図柄が停止表示され、大入賞口１３を開放する第１特別遊技が実行される。そして、この第１特別遊技開始時に第１特別図柄表示器４１に停止表示されていた大当たり図柄の種類に応じて、第１特別遊技が終了した後に、遊技状態が設定される。本実施形態では、図４に例示されるように、第１特別遊技終了後に５０％の割合で「通常遊技状態」が継続される一方で、残りの５０％については「通常遊技状態」から「時短遊技状態」へと遊技状態が変化する。
【００４７】
本実施形態では、第１特別遊技終了後に通常遊技状態にて遊技が制御されることになる時短無し当たりとして、図４に例示されるように、７回の長開放ラウンド遊技が行われた後に通常遊技状態となる時短無し７Ｒ当たりが設けられており、１種大当たりの５０％がこの時短無し７Ｒ当たりとなる。また、第１特別遊技終了後に時短遊技状態にて遊技が制御されることになる時短付き当たりとして、４回の長開放ラウンド遊技が行われた後に時短遊技状態となる時短付き４Ｒ当たり、１５回の長開放ラウンド遊技が行われた後に時短遊技状態となる時短付き１５Ｒ当たり、１５回の短開放ラウンド遊技が行われた後に時短遊技状態となる突然時短当たりの３種類が設けられており、１種大当たりの５０％がこれら３種類の時短付き当たりのいずれかとなる。
【００４８】
遊技状態が「時短遊技状態」に移行すると、「通常遊技状態」のときに比べて第２始動口１２が開放状態になり易くなる。その上、第２始動口１２に遊技球が入賞することを条件として実行される第２特別図柄判定の結果の大半が小当たりとなるため、２種大当たりが発生し易い。このように、「時短遊技状態」は、遊技球を遊技領域１０の右側領域に打ち出した方が左側領域に打ち出すよりも大当たりを引き当てやすい右側有利状態であるため、遊技者は、メイン液晶表示装置５に表示されるメッセージやスピーカ２４から出力される音声ガイダンスに従って右打ちを行うことになる。
【００４９】
「時短遊技状態」のときに遊技者が右打ちを行って遊技領域１０の右側領域に打ち出された遊技球がゲート１６を通過すると、普通図柄判定が行われる。「時短遊技状態」のときに普通図柄判定が行われて第２始動口１２を開放すると判定された場合、第２始動口１２の開放時間が「通常遊技状態」のときに比べて長いので、遊技領域１０の右側領域に打ち出された遊技球は、第２始動口１２に容易に入賞する。
【００５０】
「時短遊技状態」において、特別図柄が変動表示されておらず、且つ特別遊技中でないときに第２始動口１２に遊技球が入賞すると、第２特別図柄判定が行われ、第２特別図柄表示器４２に特別図柄が変動表示された後にその第２特別図柄判定の結果を示す判定図柄が停止表示される。ここで、第２特別図柄判定によって小当たりと判定された場合には第２特別図柄表示器４２にその旨を示す小当たり図柄が停止表示され、特定領域９及びＶ入賞口９２を一時的に開放する小当たり遊技が実行され、この小当たり遊技中に遊技球がＶ入賞口９２に入賞することで２種大当たりとなって、当該小当たり遊技を含む第２特別遊技が実行される。そして、この小当たり遊技のときに第２特別図柄表示器４２に停止表示されていた小当たり図柄の種類に応じて、第２特別遊技が終了した後に、遊技状態が設定される。本実施形態では、図４に例示されるように、第２特別遊技終了後に７０％の割合で「時短遊技状態」が継続される一方で、残りの３０％については「時短遊技状態」から「通常遊技状態」に戻されることになる。
【００５１】
本実施形態では、第２特別遊技終了後に通常遊技状態にて遊技が制御されることになる時短無し当たりとして、図４に例示されるように、１回の小当たり遊技と３回の長開放ラウンド遊技とが行われた後に通常遊技状態となる時短無し４Ｒ当たりが設けられており、２種大当たりの３０％がこの時短無し４Ｒ当たりとなる。また、第２特別遊技終了後に時短遊技状態にて遊技が制御されることになる時短付き当たりとして、１回の小当たり遊技と１４回の長開放ラウンド遊技とが行われた後に時短遊技状態となる時短付き１５Ｒ当たり、１回の小当たり遊技と３回の長開放ラウンド遊技とが行われた後に時短遊技状態となる時短付き４Ｒ当たりの２種類が設けられており、２種大当たりの７０％がこれら２種類の時短付き当たりのいずれかとなる。
【００５２】
なお、詳細な説明は省略するが、「時短遊技状態」において１００回の第２特別図柄判定（又は第１特別図柄判定）が行われても大当たりが発生しなかった場合にも、遊技状態が「時短遊技状態」から「通常遊技状態」に戻されることになる。
【００５３】
［パチンコ遊技機１の演出手段の構成例］
図１に示されるように、遊技盤２又は枠部材３には、各種の演出を行うものとして、メイン液晶表示装置５、サブ液晶表示装置６、ロゴ役物７、スピーカ２４、及び枠ランプ２５が設けられている。
【００５４】
メイン液晶表示装置５は、演出画像を表示する画像表示装置であり、遊技者によって視認され易い位置に設けられている。メイン液晶表示装置５には、例えば、特別図柄判定の結果を報知する装飾図柄、予告演出などを行うキャラクタやアイテム、第１特別図柄判定が保留されていることを示す保留表示画像（保留アイコン）等の各種表示オブジェクトを含む演出画像が表示される。
【００５５】
サブ液晶表示装置６は、演出画像を表示する画像表示装置であり、メイン液晶表示装置５の上方に設けられている。サブ液晶表示装置６は、遊技盤２に対して可動に構成されており、例えば、鉛直方向に動作可能である。サブ液晶表示装置６としては、メイン液晶表示装置５に比べて表示画面が小さいものが用いられ、主に、メイン液晶表示装置５で行われる演出に対する予告演出に使用される。
【００５６】
なお、本実施形態では、メイン液晶表示装置５及びサブ液晶表示装置６が共に液晶表示装置によって構成されている場合について説明するが、これらの両方又はどちらか一方が例えばＥＬ表示装置等の他の画像表示装置によって構成されてもよい。
【００５７】
ロゴ役物７は、サブ液晶表示装置６に対して可動に構成されており、所定の演出を行うことが可能である。
【００５８】
スピーカ２４は、メイン液晶表示装置５又はサブ液晶表示装置６で行われる表示演出と同期するように楽曲や音声、効果音等を出力して音による演出を行う。枠ランプ２５は、発光色や発光パターン、光の放射方向を変化させることによって光による演出を行う。
【００５９】
［パチンコ遊技機１の操作手段の構成例］
枠部材３には、遊技者が操作する操作手段として、演出ボタン２６及び演出キー２７が設けられている。演出ボタン２６は、遊技者が押下することによって操作情報を入力するための押ボタンである。演出キー２７は、上下左右のいずれかの方向を指示するためのいわゆる十字キーである。パチンコ遊技機１では、演出ボタン２６又は演出キー２７から入力された操作情報に応じた演出が行われる場合がある。
【００６０】
［パチンコ遊技機１の制御装置の構成］
遊技盤２の裏面側には、賞球として払い出される遊技球を溜めておく球タンクの他に、パチンコ遊技機１の動作を制御する制御装置が設けられている。図５は、パチンコ遊技機１の構成を示すブロック図である。図５に示されるように、パチンコ遊技機１の制御装置は、上記特別図柄判定や特別遊技の制御、演出制御基板１３０へのコマンド送信処理等を制御する遊技制御基板１００、遊技制御基板１００から受信したコマンドに基づいて演出を統括的に制御する演出制御基板１３０、画像や音による演出を制御する画像音響制御基板１４０、各種のランプやロゴ役物７による演出を制御するランプ制御基板１５０等から構成されている。本実施形態では、遊技制御基板１００が遊技の進行を制御する遊技制御部として機能し、演出制御基板１３０、画像音響制御基板１４０、及びランプ制御基板１５０が演出を制御する演出制御部として機能する。
【００６１】
［遊技制御基板１００の構成］
遊技制御基板１００は、メインＣＰＵ１０１、メインＲＯＭ１０２、及びメインＲＡＭ１０３を備えている。メインＣＰＵ１０１は、メインＲＯＭ１０２に記憶されたプログラム等に基づいて、上記特別図柄判定や払い出し賞球数に関連する各種の演算処理を行う。メインＲＡＭ１０３は、メインＣＰＵ１０１が上記プログラムを実行する際に用いる各種データを一時的に記憶する記憶領域又はデータ処理などの作業領域として使用される。
【００６２】
遊技制御基板１００には、第１始動口スイッチ１１１、第２始動口スイッチ１１２、電動チューリップ開閉部１１３、ゲートスイッチ１１４、大入賞口スイッチ１１５、大入賞口制御部１１６、普通入賞口スイッチ１１７、特定入賞口スイッチ１１８、特定領域開閉部１１９、Ｖ入賞口スイッチ１２０、ハズレ入賞口スイッチ１２１、Ｖ入賞口開閉部１２２、及び表示器４を構成する各表示器４１〜４３，４５〜４７が接続されている。
【００６３】
第１始動口スイッチ１１１は、第１始動口１１に遊技球が入賞したことを検知して、その検知信号を遊技制御基板１００に出力する。第２始動口スイッチ１１２は、第２始動口１２に遊技球が入賞したことを検知して、その検知信号を遊技制御基板１００に出力する。電動チューリップ開閉部１１３は、遊技制御基板１００からの制御信号に応じて、電動チューリップ１７の一対の羽根部材に駆動伝達可能に連結された電動ソレノイドを作動させることによって、第２始動口１２を開閉する。ゲートスイッチ１１４は、遊技球がゲート１６を通過したことを検知して、その検知信号を遊技制御基板１００に出力する。大入賞口スイッチ１１５は、大入賞口１３に遊技球が入賞したことを検知して、その検知信号を遊技制御基板１００に出力する。大入賞口制御部１１６は、遊技制御基板１００からの制御信号に応じて、大入賞口１３を閉塞するプレートに駆動伝達可能に連結された電動ソレノイドを作動させることによって、大入賞口１３を開閉する。普通入賞口スイッチ１１７は、遊技球が普通入賞口１４に入賞したことを検知して、その検知信号を遊技制御基板１００に出力する。
【００６４】
特定入賞口スイッチ１１８は、遊技球が特定入賞口１９に入賞したことを検知して、その検知信号を遊技制御基板１００に出力する。特定領域開閉部１１９は、遊技制御基板１００からの制御信号に応じて、羽根部材９０に駆動伝達可能に連結された電動ソレノイドを作動させることによって、特定入賞口１９を開閉する。Ｖ入賞口スイッチ１２０は、遊技球がＶ入賞口９２に入賞したことを検知して、その検知信号を遊技制御基板１００に出力する。ハズレ入賞口スイッチ１２１は、遊技球がハズレ入賞口９３に入賞したことを検知して、その検知信号を遊技制御基板１００に出力する。Ｖ入賞口開閉部１２２は、スライド部材９４に駆動伝達可能に連結された電動ソレノイドを作動させることによって、Ｖ入賞口９２を開閉する。
【００６５】
遊技制御基板１００のメインＣＰＵ１０１は、第１始動口スイッチ１１１、第２始動口スイッチ１１２、大入賞口スイッチ１１５、普通入賞口スイッチ１１７、Ｖ入賞口スイッチ１２０、又はハズレ入賞口スイッチ１２１からの検知信号が入力されると、遊技球が入賞した場所に応じた所定数の賞球の払い出しを払出制御基板（不図示）に指示し、払出制御基板からの情報に基づいて、払い出す賞球の個数を管理する。
【００６６】
この払出制御基板は、遊技盤２の裏面側に設けられている球タンクから皿２８へ賞球を送り出す駆動モータ等を有して構成されている。
【００６７】
メインＣＰＵ１０１は、第１始動口スイッチ１１１からの検知信号が入力されたタイミングで取得情報としての各種乱数を取得し、取得した乱数を用いて第１特別図柄判定を実行する。また、メインＣＰＵ１０１は、第２始動口スイッチ１１２からの検知信号が入力されたタイミングで取得情報としての各種乱数を取得し、取得した乱数を用いて第２特別図柄判定を実行する。そして、大当たりであると判定した場合には、大入賞口制御部１１６を介して大入賞口１３を開閉する。
【００６８】
また、メインＣＰＵ１０１は、第２特別図柄判定の結果が小当たりであると判定した場合には、特定領域開閉部１１９を介して羽根部材９０を作動させることで特定入賞口１９を開閉すると共に、Ｖ入賞口開閉部１２２を介してスライド部材９４を作動させることでＶ入賞口９２を開閉する。そして、スライド部材９４の作動中にＶ入賞口９２に遊技球が入賞した場合、大当たりであると判定した場合と同様に、大入賞口制御部１１６を介して大入賞口１３を開閉する。
【００６９】
また、メインＣＰＵ１０１は、ゲートスイッチ１１４からの検知信号が入力されたタイミングで乱数を取得し、取得した乱数を用いて普通図柄判定を実行する。そして、第２始動口１２を開放すると判定した場合、電動チューリップ開閉部１１３を介して電動チューリップ１７を作動させることによって、第２始動口１２を一時的に開放する。
【００７０】
また、メインＣＰＵ１０１は、表示器４を構成する各表示器４１〜４３，４５〜４７に対して、図２に基づいて上述した処理を実行させる。
【００７１】
［演出制御基板１３０の構成］
演出制御基板１３０は、サブＣＰＵ１３１、サブＲＯＭ１３２、サブＲＡＭ１３３、及び現時点の日時を計時するＲＴＣ（リアルタイムクロック）１３４を備えている。サブＣＰＵ１３１は、サブＲＯＭ１３２に記憶されたプログラムに基づいて、演出を制御する際の演算処理を行う。サブＲＡＭ１３３は、サブＣＰＵ１３１が上記プログラムを実行する際に用いる各種データを一時的に記憶する記憶領域又はデータ処理などの作業領域として使用される。
【００７２】
演出制御基板１３０のサブＣＰＵ１３１は、遊技制御基板１００から送信される特別図柄判定や普通図柄判定、特別遊技等に関する遊技情報に基づいて、演出内容を設定する。その際、演出ボタン２６又は演出キー２７からの操作情報の入力を受け付けて、その操作情報に応じた演出内容を設定する場合もある。また、サブＣＰＵ１３１は、設定した演出内容の演出の実行を指示するコマンドを画像音響制御基板１４０及びランプ制御基板１５０に送信する。
【００７３】
［ランプ制御基板１５０の構成］
ランプ制御基板１５０は、図には示されていないが、ＣＰＵ、ＲＯＭ、及びＲＡＭを備えている。ランプ制御基板１５０のＣＰＵは、ＲＯＭに記憶されたプログラムに基づいて、枠ランプ２５やロゴ役物７の動作を制御する際の演算処理を行う。ランプ制御基板１５０のＲＡＭは、ＣＰＵが上記プログラムを実行する際に用いる各種データを一時的に記憶する記憶領域又はデータ処理などの作業領域として使用される。
【００７４】
ランプ制御基板１５０のＲＯＭには、発光パターンデータ及び動作パターンデータが記憶されている。ここで、発光パターンデータは、枠ランプ２５やロゴ役物７が備える発光素子のそれぞれの発光パターンを示すデータである。動作パターンデータは、ロゴ役物７の動作パターンを示すデータである。
【００７５】
ランプ制御基板１５０のＣＰＵは、ＲＯＭに記憶された発光パターンデータの中から、演出制御基板１３０から受信したコマンドに対応する発光パターンデータをＲＡＭに読み出して、枠ランプ２５やロゴ役物７の発光素子の発光を制御する。また、ランプ制御基板１５０のＣＰＵは、ＲＯＭに記憶された動作パターンデータの中から、演出制御基板１３０から受信したコマンドに対応する動作パターンデータをＲＡＭに読み出して、ロゴ役物７を動作させるモータの駆動を制御する。
【００７６】
［画像音響制御基板１４０の構成］
画像音響制御基板１４０は、メイン液晶表示装置５及びサブ液晶表示装置６の画像表示制御と、スピーカ２４からの音声出力制御とを行うものである。この画像音響制御基板１４０は、図示は省略するが、ＣＰＵ、ＶＤＰ（Ｖｉｄｅｏ  Ｄｉｓｐｌａｙ  Ｐｒｏｃｅｓｓｏｒ）、音響ＤＳＰ（Ｄｉｇｉｔａｌ  Ｓｉｇｎａｌ  Ｐｒｏｃｅｓｓｏｒ）、ＲＯＭ、ＲＡＭ及びＶＲＡＭ等を備えている。
【００７７】
画像音響制御基板１４０のＣＰＵは、演出制御基板１３０から受信したコマンドに基づいて、ＶＤＰに対して、ＲＯＭに記憶されている画像データを用いてメイン液晶表示装置５又はサブ液晶表示装置６に演出画像を表示させる指示を行う。また、ＣＰＵは、音響ＤＳＰに対しても、ＲＯＭに記憶されている音響データをスピーカ２４から出力させる指示を行う。
【００７８】
画像音響制御基板１４０によって、後述する装飾図柄の変動表示制御や画像による演出が行われる。
【００７９】
[本実施形態のパチンコ遊技機１の動作概要]
次に、本実施形態に係るパチンコ遊技機１の動作概要について説明する。本実施形態では、複数の装飾図柄のうちの特定の装飾図柄を用いた演出が行われる。装飾図柄は、特別図柄の変動開始に応じて変動開始し、特別図柄の変動停止に応じて変動停止する。
【００８０】
図６は、第１特別図柄表示器４１において特別図柄の変動中にメイン液晶表示装置５に表示される画像の一例を示す図である。図６に示すように、メイン液晶表示装置５には、装飾図柄５１が変動表示される。装飾図柄５１は、３つの装飾図柄から構成されており、３つの装飾図柄は、左領域５１ａ、中領域５１ｂ、右領域５１ｃの３つの領域にそれぞれ表示される。なお、左領域５１ａに表示される図柄を左装飾図柄、中領域５１ｂに表示される図柄を中装飾図柄、右領域５１ｃに表示される図柄を右装飾図柄と呼ぶことがある。また、各図柄（左装飾図柄、中装飾図柄、右装飾図柄）は画面に固定された各領域で変動するとは限らず、例えば、画面の右下の領域に３つの図柄が移動して、当該右下の領域で変動してもよい。また、３つの図柄は、横方向に１列に並べられる必要は無く、縦方向に１列に並べられて変動表示されてもよいし、斜め方向に１列に並べられて変動表示されてもよい。また、３つの図柄は、直線状に並べられて変動表示されなくてもよい。
【００８１】
また、メイン液晶表示装置５には、複数の保留アイコン５２（保留１〜保留４）が表示される。保留アイコン５２は、第１特別図柄判定の権利を示す画像であり、特別図柄の変動中や大当たり遊技中に第１始動口１１に遊技球が入賞すると、第１特別図柄判定の権利が保留され、保留アイコン５２として表示される。また、画面には、現在変動中（当該変動）であることを示すアイコンも表示される。保留は右から順に消化される。すなわち、当該変動が終了すると、この当該変動を示すアイコンは消去され、保留１に係る特別図柄の変動が開始するタイミングで、保留１の保留アイコン５２が右側に移動して、現在変動中であることが示される。
【００８２】
図７は、本実施形態のパチンコ遊技機１に用意されている装飾図柄の種類を示す図である。図７に示すように、本実施形態では、装飾図柄として、「１〜９」の図柄、及び、「Ｓ」図柄が用意されている。これらの図柄は演出制御部（具体的には、画像音響制御基板１４０）の記憶部に予め画像データとして記憶されている。これら複数種類の装飾図柄のうちの１の装飾図柄が、３つの領域に停止した場合、大当たりとなる。そして、揃った図柄の種類によって、大当たりの種類が報知される。
【００８３】
具体的には、図７に示すように、例えば、「２」図柄が３つ揃うと、大当たり遊技後に通常遊技状態に移行する時短無し７Ｒ当たりであることを示す。また、「１」図柄が３つ揃った場合、時短付き当たりか又は時短無し当たりの何れかである。この場合、大当たり遊技中、又は、大当たり遊技終了後に、特別図柄判定の結果が時短付き当たりだったのか、時短無し当たりだったのかかが報知され、その後、その特別図柄判定の結果に応じた遊技状態が設定される。従って、例えば、「１」図柄が３つ揃って大当たりとなった場合は、その時点では遊技者は大当たりの種類までは判別困難であり、その後の演出によって、大当たりの種類を認識することになる。
【００８４】
また、図７に示すように、例えば、「７」図柄が３つ揃った場合、時短付き４Ｒ当たりであることを示す。さらに、本実施形態では、「Ｓ」図柄が用意されており、Ｓ図柄が３つ揃った場合は、時短付き１５Ｒ当たりであることを示す。このように、Ｓ図柄は、最も利益の高い大当たりであることを示す図柄である。このような装飾図柄が用意されている前提で、以下に本実施形態の装飾図柄を用いた演出について説明する。
【００８５】
図８は、本実施形態に係るパチンコ遊技機１の装飾図柄を用いた演出の流れを示す図である。図８に示すように、特別図柄の変動開始に応じて装飾図柄の変動が開始する（ステップＳ１００）。
【００８６】
装飾図柄が変動開始してから所定時間経過すると、装飾図柄の１つであるＳ図柄が左領域５１ａに停止する場合がある（ステップＳ１０１）。このとき、中領域５１ｂ及び右領域５１ｃには、装飾図柄が変動表示されているか、又は、他の装飾図柄が停止している。このステップＳ１０１において、左領域５１ａにＳ図柄が停止した状態は、仮停止状態である。仮停止状態とは、３つの装飾図柄が完全には停止しておらず、例えば、上下方向に微変動している状態である。すなわち、ステップＳ１０１の時点では、特別図柄は変動中である。
【００８７】
ステップＳ１０１においてＳ図柄が左領域５１ａに停止（仮停止）した場合、Ｓ図柄リーチに発展する（ステップＳ１０２）。Ｓ図柄リーチは、２つの領域にＳ図柄が停止した状態で残りの１つの領域にＳ図柄が停止することを遊技者に期待させる演出である。このＳ図柄リーチが行われた場合は、Ｓ図柄が３つ揃って大当たりとなる確率（信頼度）が高い。例えば、Ｓ図柄リーチに発展した場合は、５０％の確率で大当たりとなる。Ｓ図柄リーチが行われた後、特別図柄の停止に応じて装飾図柄５１が停止し、この特別図柄の変動は終了する。
【００８８】
図９は、Ｓ図柄の仮停止からＳ図柄リーチに発展する様子を示す図である。図９に示すように、特別図柄の変動開始に応じて、装飾図柄５１が３つの領域５１ａ〜５１ｃにおいて変動開始する（図９（Ａ））。このとき、例えば、２つの保留アイコン５２が表示されており、第１特別図柄判定の権利が２つ保留されているものとする。変動開始から所定時間経過後、Ｓ図柄が左領域５１ａに停止することがある（図９（Ｂ））。この場合、図に示すようにＳ図柄が強調表示されてもよいし、Ｓ図柄の停止に伴って所定の音声が出力されてもよい。その後、Ｓ図柄が右領域５１ｃに停止して、リーチが成立する（図９（Ｃ））。リーチが成立すると、Ｓ図柄リーチ演出が所定時間行われる。Ｓ図柄リーチ演出では、Ｓ図柄が中領域５１ｂに停止することを遊技者に期待させる演出が行われるとともに、例えば、所定のキャラクタが登場する動画演出が行われる。そして、さらに時間が経過すると、特別図柄の変動停止に応じて、中領域５１ｂに装飾図柄が停止する（図９（Ｄ））。図９に示す例では、Ｓ図柄が中領域５１ｂに停止して３つのＳ図柄が揃った態様で停止しており、大当たりとなったことが示されている。図９（Ａ）〜図９（Ｄ）の一連の演出は、１回の特別図柄の変動中に行われ、従って、保留アイコン５２も２つ表示されたままである。
【００８９】
図８に戻り、装飾図柄が変動開始してから所定時間経過すると、Ｓ図柄が中領域５１ｂに停止する場合がある（ステップＳ１０３）。このとき、左領域５１ａ及び右領域５１ｃには、装飾図柄が変動表示されているか、又は、他の装飾図柄が停止している。このステップＳ１０３において、中領域５１ｂにＳ図柄が停止した状態は、仮停止状態であり、特別図柄の変動中である。
【００９０】
ステップＳ１０３においてＳ図柄が中領域５１ｂに停止（仮停止）した場合、擬似連続予告演出（擬似連）に発展する（ステップＳ１０４）。擬似連は、１回の特別図柄の変動中において、装飾図柄５１を擬似的に変動及び停止させる擬似変動演出が所定回数行われる演出である。すなわち、Ｓ図柄が中領域５１ｂに停止した後、Ｓ図柄を含む仮停止中の装飾図柄５１が再び変動し、２回目の擬似変動が行われる。擬似連が行われる場合、その変動において大当たりとなる信頼度は比較的高く、擬似連の回数が多いほど信頼度が高くなる。例えば、３回の擬似変動演出が行われた場合は、信頼度は３０％であり、４回の擬似変動演出が行われた場合は、信頼度は８０％となる。そして、擬似変動演出が所定回数行われた後、特別図柄の停止に応じて装飾図柄５１が停止し、この特別図柄の変動は終了する。
【００９１】
図１０は、Ｓ図柄の仮停止から擬似連に発展する様子を示す図である。図１１は、図１０に示す擬似連が継続した後、当該変動が終了するまでの様子を示す図である。図１０に示すように、特別図柄の変動開始に応じて、装飾図柄５１が３つの領域５１ａ〜５１ｃにおいて変動開始する（図１０（Ａ））。このとき、例えば、２つの保留アイコン５２が表示されており、第１特別図柄判定の権利が２つ保留されているものとする。変動開始から所定時間経過後、例えば、左領域５１ａに「３」図柄が停止し、右領域５１ｃに「４」図柄が停止する（図１０（Ｂ））。そして、さらに時間が経過すると、Ｓ図柄が中領域５１ｂに停止することがある（図１０（Ｃ））。このとき、図に示すようにＳ図柄が強調表示されてもよいし、Ｓ図柄の停止に伴って所定の音声が出力されてもよい。このＳ図柄の停止は、１回目の擬似停止であり、この状態では、３つの領域において３つの図柄は完全には停止しておらず、微変動している。
【００９２】
その後、仮停止した３つの図柄が再び変動開始する（図１０（Ｄ））。このとき、保留アイコン５２は減少せず、２つの保留アイコン５２が表示されたままとなる。また、メイン液晶表示装置５には、例えば、「擬似２回目」と書かれた画像５３が表示され、２回目の擬似変動演出であることが報知される。さらに時間が経過すると、２回目の擬似停止が行われる場合がある（図１１（Ｅ））。このとき、図１１（Ｅ）に示すように、中領域５１ｂにＳ図柄が仮停止してもよいし、他の図柄が仮停止してもよい。そして、３回目の擬似変動が開始されて（図１１（Ｆ））、所定時間経過後、特別図柄の変動停止に応じて、装飾図柄５１が停止する（図１１（Ｇ））。図１１では、３つの「７」図柄が揃って停止され、特別図柄判定の結果が大当たりであったことが報知されている。図１０（Ａ）〜図１１（Ｇ）の一連の演出は、１回の特別図柄の変動中に行われ、従って、保留アイコン５２も２つ表示されたままである。
【００９３】
図８に戻り、装飾図柄が変動開始してから所定時間経過すると、Ｓ図柄が右領域５１ｃに停止する場合がある（ステップＳ１０５）。このとき、左領域５１ａ及び中領域５１ｂには、他の装飾図柄が停止している。このステップＳ１０５においては、右領域５１ｃにＳ図柄が停止した状態は、本停止状態であり、特別図柄も停止した状態である。すなわち、ステップＳ１０５においては、特別図柄の変動停止に応じて、装飾図柄５１も停止しており、その停止態様の一例としてＳ図柄が右領域５１ｃに停止して特別図柄判定の結果がハズレであったことが報知される。なお、このＳ図柄が右領域５１ｃに停止して装飾図柄５１が本停止する場合は、第１特別図柄判定の権利が少なくとも１つは保留されている（少なくとも保留１は必ず存在する）。
【００９４】
ステップＳ１０５においてＳ図柄が右領域５１ｃに停止した場合、この特別図柄の変動は終了し、次の特別図柄の変動（保留１に係る変動）が開始する（ステップＳ１０６）。そして、この保留１に係る変動においては、所定の演出（例えば、後述するゾーン演出）が行わる。この保留１に係る変動においては、大当たりとなる信頼度が比較的高い。すなわち、右領域５１ｃにＳ図柄が停止した場合は、その変動ではハズレであるが、次の変動（又は次以降でもよい）において所定の演出が行われるとともに、信頼度が高いことを示す。言い換えると、Ｓ図柄が右領域５１ｃに停止したことは、次の変動に対する先読み予告を示している。
【００９５】
このように、ステップＳ１０５では、次の変動に対する予告演出がＳ図柄を用いて行われる。以下では、このＳ図柄を用いたステップＳ１０５における予告演出を、「Ｓ図柄本停止による先読み予告演出」と呼ぶことがある。
【００９６】
図１２は、Ｓ図柄本停止による先読み予告演出の一例を示す図である。図１２に示すように、特別図柄の変動開始に応じて、装飾図柄５１が３つの領域５１ａ〜５１ｃにおいて変動開始する（図１２（Ａ））。このとき、例えば、２つの保留アイコン５２が表示されており、第１特別図柄判定の権利が２つ保留されているものとする。変動開始から所定時間経過後、例えば、左領域５１ａに「５」図柄が停止し、中領域５１ｂに「１」図柄が停止するとともに、右領域５１ｃにＳ図柄が停止する場合がある（図１２（Ｂ））。このとき、装飾図柄５１は完全に停止しており（微変動しておらず）、当該変動（図１２（Ａ）で開始した変動）は終了している。すなわち、特別図柄の変動停止に応じて、３つの図柄は停止し、図１２（Ｂ）に示すように、右領域５１ｃにＳ図柄が停止してこの変動ではハズレであったことが報知される。なお、図１２（Ｂ）に示すように、Ｓ図柄が右領域５１ｃに停止して当該変動が終了する際に、Ｓ図柄及び他の図柄が通常よりも強調表示されるとともに所定の音声が出力されてもよい。
【００９７】
その後（例えば０．８秒間の特別図柄の停止表示期間の後）、次の特別図柄の変動（保留１に係る変動）が開始したことに応じて、３つの図柄が変動開始する（図１２（Ｃ））。このとき、保留１に係る保留アイコン５２が右側に移動して、現在変動中であることを示す領域に移動する。そして、保留１に係る変動において、所定の演出が行われた後、特別図柄が停止して、装飾図柄５１も停止する。図１２に示す例では、保留１に係る変動においてＳ図柄が３つ揃って大当たりとなったことが示されている。
【００９８】
ここで、Ｓ図柄本停止による先読み予告演出の後に行われる所定の演出（ゾーン演出）について説明する。ゾーン演出は、１または連続する複数の特別図柄の変動中に行われる演出であり、事前判定の結果に基づいて行われる演出である。
【００９９】
図１３は、Ｓ図柄の本停止からゾーン演出に突入するまでの一連の演出を示す図である。図１３に示すように、特別図柄の変動開始に応じて、装飾図柄５１が３つの領域５１ａ〜５１ｃにおいて変動開始する（図１３（Ａ））。所定時間経過後、特別図柄の変動停止に応じて、Ｓ図柄が右領域５１ｃに停止するとともに、他の領域にも別の種類の図柄が停止して、装飾図柄５１が停止表示される（図１３（Ｂ））。このとき、通常の装飾図柄５１の停止時よりも強調表示されてもよい。その後、次の特別図柄の変動中に、ゾーン演出に突入することを示す画像５５が表示される（図１３（Ｃ））。そして、ゾーン演出が行われる。ゾーン演出の実行中は、例えば、専用の背景画像に切り替わり、ゾーン演出の実行中であることが報知される。このゾーン演出が行われている間は、大当たりとなる信頼度が高いことを示す。
【０１００】
図１４は、ゾーン演出の実行期間の一例を示す図である。図１４に示すように、Ｓ図柄が停止した後（当該変動が終了した後）、次の変動である保留１の変動において、ゾーン突入が報知されてゾーン演出が実行される。ゾーン演出は、保留１の変動終了時に終了する場合がある。また、ゾーン演出は、例えば、保留１に係る変動と保留２に係る変動の２変動にわたって行われる場合もある。この場合、保留１に係る変動が終了してもゾーン演出は継続され、保留２に係る変動においてゾーン演出は終了する場合がある。また、ゾーン演出は、例えば、保留１に係る変動と、保留２に係る変動と、保留３に係る変動との３変動にわたって行われる場合もある。
【０１０１】
以上のように、本実施形態では、Ｓ図柄が３つの領域の何れかに停止すると、停止した位置に応じて異なる演出に発展し、それぞれ大当たりとなる信頼度が高くなる。なお、パチンコ遊技機１には、図８に示すＳ図柄が停止するパターンの演出以外にも装飾図柄を用いた種々の演出が用意されている。
【０１０２】
本実施形態では、上述のようなＳ図柄の停止を用いた演出が行われることを前提として、第１始動口１１に遊技球が入賞した場合に、当該入賞に応じて取得された遊技データ（後述する各種乱数）に基づいて、Ｓ図柄が停止する演出が行われるか否かを判定し、判定結果に応じて、Ｓ図柄が停止することを事前に予告する。
【０１０３】
図１５は、保留アイコン５２を用いてＳ図柄が停止することを予告する例を示す図であり、Ｓ図柄の停止を伴う上記擬似連又はリーチ演出に対する予告が行われる場合を示す図である。
【０１０４】
図１５に示すように、現在特別図柄が変動中であり、特別図柄判定の権利が３つ保留されている。この場合において、例えば、保留３の保留アイコン増加時（第１始動口１１への遊技球の入賞時）に取得された遊技データに基づいて、入賞時に事前判定（先読み）が行われる。事前判定では、取得された遊技データに基づいて、特別図柄判定の結果や特別図柄の変動パターン（変動時間）等が特定され、特定された情報に基づいて、演出内容が決定される。例えば、上記擬似連に対応する変動パターンである場合、遊技機１は、この保留３に係る特別図柄の変動において、Ｓ図柄の仮停止を伴う擬似連を行うと決定する。また、上記Ｓ図柄リーチに対応する変動パターンである場合、遊技機１は、この保留３に係る特別図柄の変動において、Ｓ図柄の仮停止を伴うＳ図柄リーチ演出を行うと決定する。そして、保留３に係る特別図柄の変動においてＳ図柄の仮停止を伴う擬似連又はＳ図柄リーチ演出を行うと決定した場合、保留３の保留アイコン５２の表示態様を特定表示態様に変化させる。例えば、図１５に示すように、「Ｓ」の文字を保留アイコン５２内に表示させる。これにより、保留３に係る変動において、Ｓ図柄の停止を伴う特定の演出（擬似連又はＳ図柄リーチ演出）に発展することが示唆される。言い換えると、特定表示態様の保留アイコン５２が消化される際に、Ｓ図柄が停止する（実際には仮停止）ことが示唆される。
【０１０５】
図１６は、保留アイコン５２を用いてＳ図柄が停止することを予告する例を示す図であり、上記Ｓ図柄本停止による先読み予告演出に対する予告が行われる場合を示す図である。
【０１０６】
図１６に示すように、現在特別図柄が変動中であり、特別図柄判定の権利が３つ保留されている。この場合において、例えば、保留３の保留アイコン増加時（第１始動口１１への遊技球の入賞時）に取得された遊技データに基づいて、入賞時に事前判定（先読み）が行われる。事前判定では、取得された遊技データに基づいて、特別図柄判定の結果や特別図柄の変動パターン（変動時間）等が特定される。そして、この事前判定の結果に基づいて、保留３に係る変動（先読み対象変動）の前の変動（特定変動；ここでは保留２に係る変動）において、Ｓ図柄本停止による先読み予告演出を行うか否かを判定する。例えば、特定変動において大当たりとならず、かつ、先読み対象変動の変動パターンが特定の変動パターンである場合、遊技機１は、先読み対象変動においてゾーン演出を実行し、特定変動においてＳ図柄本停止による先読み予告演出を行うと判定する。このように、遊技機１は、保留３に対する事前判定の結果に基づいて、保留２に係る変動終了時における装飾図柄５１の停止態様として、Ｓ図柄を右領域５１ｃに停止させる態様を決定する。そして、保留２に係る変動においてＳ図柄を右領域５１ｃに停止させると決定した場合、遊技機１は、保留２の保留アイコン５２の表示態様を特定表示態様に変化させる。例えば、図１６に示すように、「Ｓ」の文字を保留アイコン５２に表示させる。これにより、保留２に係る変動において、Ｓ図柄が停止することが示唆される。すなわち、特定表示態様の保留アイコン５２に係る変動において、Ｓ図柄が停止することが示唆される。
【０１０７】
以上のように、本実施形態のパチンコ遊技機１では、Ｓ図柄の停止後に様々な演出が行われる。例えば、Ｓ図柄の停止後に擬似連に発展したり、Ｓ図柄リーチに発展したり、次の変動においてゾーン演出が行われたりする。そして、本実施形態のパチンコ遊技機１は、Ｓ図柄の停止（仮停止又は本停止）が行われる変動が開始される前に、このＳ図柄の停止を予告する。このようにＳ図柄が停止することを事前に示唆することにより、Ｓ図柄の停止から様々な演出に発展することを遊技者に期待させることができ、興趣性を向上させることができる。
【０１０８】
なお、Ｓ図柄が停止することの示唆は、上記保留アイコン５２を用いずに行われてもよい。図１７は、Ｓ図柄が停止することを予告する他の例を示す図である。
【０１０９】
図１７（Ａ）に示すように、保留２が先読み対象変動であり、この先読み対象変動において、Ｓ図柄の仮停止から擬似連に発展する演出が行われると判定されたものとする。図１７（Ａ）に示すように、当該変動中に、装飾図柄５１が変動するとともに、例えば、中領域５１ｂに変動表示される装飾図柄（中装飾図柄）に重畳されるようにして、先読み予告としてのＳ図柄の画像５４が半透明で表示される。この先読み予告としてのＳ図柄の画像５４は、特別図柄の変動に応じて変動する装飾図柄５１を構成する図柄ではなく、先読み予告演出としての画像である。その後、当該変動が終了して、次の変動である保留１に係る変動が開始される（図１７（Ｂ））。保留１に係る変動中においても、先読み予告としてのＳ図柄の画像５４が、中装飾図柄に重畳して半透明で表示される。なお、図１７（Ａ）及び（Ｂ）において、中装飾図柄と先読み予告演出としての画像５４とが上下左右方向にずれて表示されているが、これらの表示位置は一致していてもよい。
【０１１０】
そして、保留１に係る変動が終了して、保留２に係る変動（先読み対象変動）が開始され、この変動において、Ｓ図柄が中領域５１ｂに仮停止する（図１７（Ｃ））。その後、上述のように、擬似連に発展する。なお、左領域５１ａにＳ図柄が停止することを示唆する場合、図１７（Ａ）および（Ｂ）において、左領域５１ａに変動表示される装飾図柄に重畳されるようにして、Ｓ図柄の画像５４が半透明で表示されてもよい。また、右領域５１ｃにＳ図柄が停止することを示唆する場合は、右領域５１ｃに変動表示される装飾図柄に重畳されるようにして、Ｓ図柄の画像５４が半透明で表示されてもよい。
【０１１１】
以上のように、本実施形態のパチンコ遊技機１では、Ｓ図柄の停止から様々な演出に発展することを前提として、Ｓ図柄の停止を示唆する予告演出が行われる。Ｓ図柄が停止する領域についての示唆は行われなくてもよいし、行われてもよい。
【０１１２】
[本実施形態のパチンコ遊技機１の処理の詳細]
次に、パチンコ遊技機１の各制御部において実行される処理の詳細について、フローチャートを用いて説明する。
【０１１３】
［遊技制御基板１００によるタイマ割込み処理］
まず、図１８を参照しつつ、遊技制御基板１００において実行されるタイマ割込み処理について説明する。ここで、図１８は、遊技制御基板１００において実行されるタイマ割込み処理の一例を示すフローチャートである。遊技制御基板１００は、電源投入時や電源断時等の特殊な場合を除く通常の動作時において、図１８に例示されている一連の処理を一定時間（例えば４ミリ秒）毎に繰り返し実行する。なお、図１８以降のフローチャートに基づいて説明する遊技制御基板１００の処理は、メインＲＯＭ１０２に記憶されているプログラムに基づいてメインＣＰＵ１０１が発行する命令に従って行われる。
【０１１４】
まず、メインＣＰＵ１０１は、大当たり乱数、大当たり用図柄乱数、小当たり用図柄乱数、リーチ乱数、変動パターン乱数、及び普通図柄乱数の各種乱数を更新する乱数更新処理を実行する（ステップＳ１）。
【０１１５】
ここで、大当たり乱数は、大当たり、小当たり、又はハズレを決定するための乱数である。大当たり用図柄乱数は、大当たりであると判定された場合に、大当たりの種類を決定するための乱数である。小当たり用図柄乱数は、小当たり遊技中にＶ入賞口９２に遊技球が入賞した場合に発生する２種大当たりの種類を決定するための乱数である。リーチ乱数は、ハズレであると判定された場合に、リーチ有りの演出を行うか或いはリーチ無しの演出を行うかを決定するための乱数である。変動パターン乱数は、特別図柄が変動表示される際の変動パターンを決定するための乱数である。普通図柄乱数は、第２始動口１２を開放するか否かを決定するための乱数である。大当たり乱数、大当たり用図柄乱数、小当たり用図柄乱数、リーチ乱数、変動パターン乱数、及び普通図柄乱数は、このステップＳ１の処理が行われる毎に「１」ずつ加算される。なお、このステップＳ１の処理を行うカウンタとしてはループカウンタが使用されており、各乱数は、予め設定された最大値に達した後は「０」に戻る。
【０１１６】
ステップＳ１の処理に続いて、メインＣＰＵ１０１は、各スイッチからの検知信号が入力された場合に、スイッチ処理を実行する（ステップＳ２）。このスイッチ処理については、図１９〜図２２に基づいて後に詳述する。
【０１１７】
ステップＳ２の処理に続いて、メインＣＰＵ１０１は、特別図柄判定を実行し、第１特別図柄表示器４１又は第２特別図柄表示器４２に特別図柄を変動表示させてから特別図柄判定の結果を示す判定図柄を停止表示させる処理等を含む特別図柄処理を実行する（ステップＳ３）。この特別図柄処理については、図２３に基づいて後に詳述する。
【０１１８】
ステップＳ３の処理に続いて、メインＣＰＵ１０１は、普通図柄判定を実行し、普通図柄表示器４５に普通図柄を変動表示させてから普通図柄判定の結果を示す普通図柄を停止表示させる処理等を含む普通図柄処理を実行する（ステップＳ４）。この普通図柄処理については、図２６に基づいて後に詳述する。
【０１１９】
ステップＳ４の処理に続いて、メインＣＰＵ１０１は、普通図柄判定を行った結果、第２始動口１２を開放すると判定した場合に、電動チューリップ開閉部１１３を介して電動チューリップ１７を作動させる電動チューリップ処理を実行する（ステップＳ５）。この電動チューリップ処理については、図２７に基づいて後に詳述する。
【０１２０】
ステップＳ５の処理に続いて、メインＣＰＵ１０１は、ステップＳ３の特別図柄処理において小当たりであると判定した場合に、特定領域開閉部１１９を介して羽根部材９０を作動させると共に、Ｖ入賞口開閉部１２２を介してスライド部材９４を作動させる特定領域開放制御処理を実行する（ステップＳ６）。この特定領域開放制御処理については、図２８及び図２９に基づいて後に詳述する。
【０１２１】
ステップＳ６の処理に続いて、メインＣＰＵ１０１は、ステップＳ３において大当たりであると判定した場合、又は小当たり遊技中にＶ入賞口９２に遊技球が入賞した場合に、大入賞口制御部１１６を制御して大入賞口１３を開放する大入賞口開放制御処理を実行する（ステップＳ７）。この大入賞口開放制御処理については、図３０〜図３２に基づいて後に詳述する。
【０１２２】
ステップＳ７の処理に続いて、メインＣＰＵ１０１は、遊技球の入賞に応じた賞球の払い出しを制御する賞球処理を実行する（ステップＳ８）。
【０１２３】
ステップＳ８の処理に続いて、メインＣＰＵ１０１は、ステップＳ８よりも前の処理ステップにおいてメインＲＡＭ１０３にセット（格納）された各種コマンドや演出内容を決定するために必要な情報を演出制御基板１３０に送信する送信処理を実行する（ステップＳ９）。このステップＳ９の処理が実行されることにより、特別図柄判定や特別遊技に関する遊技情報が演出制御基板１３０に送信されることになる。この遊技情報は、具体的には、後述する保留コマンド、変動開始コマンド、変動停止コマンド、オープニングコマンド、ラウンド開始コマンド、エンディングコマンド等に含まれる情報である。
【０１２４】
［遊技制御基板１００によるスイッチ処理］
図１９は、図１８のステップＳ２におけるスイッチ処理の詳細フローチャートである。ステップＳ１の処理に続いて、メインＣＰＵ１０１は、図１９に例示されるように、第１始動口スイッチ１１１からの検知信号の入力の有無を監視して、ステップＳ１の処理によって適宜更新される各種乱数（大当たり乱数、大当たり用図柄乱数、リーチ乱数、及び変動パターン乱数）について、第１始動口スイッチ１１１からの検知信号が入力された時点の値を取得する第１始動口スイッチ処理を実行する（ステップＳ２１）。この第１始動口スイッチ処理については、図２０に基づいて後に詳述する。
【０１２５】
次に、メインＣＰＵ１０１は、第２始動口スイッチ１１２からの検知信号の入力の有無を監視して、ステップＳ１の処理によって適宜更新される各種乱数（大当たり乱数、大当たり用図柄乱数、小当たり用図柄乱数、リーチ乱数、及び変動パターン乱数）について、第２始動口スイッチ１１２からの検知信号が入力された時点の値を取得する第２始動口スイッチ処理を実行する（ステップＳ２２）。この第２始動口スイッチ処理については、図２１に基づいて後に詳述する。
【０１２６】
そして、メインＣＰＵ１０１は、ゲートスイッチ１１４からの検知信号の入力の有無を監視して、ステップＳ１の処理によって適宜更新される普通図柄乱数について、ゲートスイッチ１１４からの検知信号が入力された時点の値を取得するゲートスイッチ処理を実行する（ステップＳ２３）。このゲートスイッチ処理については、図２２に基づいて後に詳述する。
【０１２７】
［遊技制御基板１００による第１始動口スイッチ処理］
図２０は、図１９のステップＳ２１における第１始動口スイッチ処理の詳細フローチャートである。図２０に例示されるように、メインＣＰＵ１０１は、ステップＳ１の乱数更新処理に続いて、第１始動口スイッチ１１１からの検知信号（第１始動口スイッチ１１１が「ＯＮ」になったことを示すＯＮ信号）が入力されたか否かに基づいて、第１始動口スイッチ１１１が「ＯＮ」になったか否かを判定する（ステップＳ２１１）。ここで、第１始動口スイッチ１１１が「ＯＮ」になったと判定した場合（ステップＳ２１１：ＹＥＳ）、メインＲＡＭ１０３に記憶されている第１特別図柄判定の保留数Ｕ１が、予めメインＲＯＭ１０２に記憶されている第１特別図柄判定の最大保留数Ｕｍａｘ１（本実施形態では「４」）未満であるか否かを判定する（ステップＳ２１２）。
【０１２８】
メインＣＰＵ１０１は、保留数Ｕ１が最大保留数Ｕｍａｘ１未満であると判定した場合（ステップＳ２１２：ＹＥＳ）、保留数Ｕ１の値を「１」加算した値に更新する（ステップＳ２１３）。そして、第１特別図柄判定に使用する取得情報として、大当たり乱数、大当たり用図柄乱数、リーチ乱数、及び変動パターン乱数を取得し、これらの乱数を対応付けてメインＲＡＭ１０３の所定領域に格納する（ステップＳ２１４〜Ｓ２１７）。
【０１２９】
次に、メインＣＰＵ１０１は、取得した各乱数に基づく事前判定情報を含む保留コマンドをセットする（ステップＳ２１８）。ステップＳ２１８においては、取得した各乱数に基づいて事前判定処理が行われ、当該事前判定処理の結果としての事前判定情報が保留コマンドに含まれてセットされてもよいし、取得した各乱数を事前判定情報として、各乱数がそのまま保留コマンドに含まれてセットされてもよい。
【０１３０】
なお、本実施形態におけるパチンコ遊技機１は、第１特別図柄判定の結果が大当たり又はハズレのいずれかとなり、第１特別図柄判定においては、小当たり遊技を発生させる小当たりと判定されないように構成されている。このため、第１始動口スイッチ処理には、２種大当たりの種類を決定するための小当たり用図柄乱数を取得するステップが含まれていない。
【０１３１】
［遊技制御基板１００による第２始動口スイッチ処理］
図２１は、図１９のステップＳ２２における第２始動口スイッチ処理の詳細フローチャートである。図２１に示されるように、メインＣＰＵ１０１は、ステップＳ２１の第１始動口スイッチ処理に続いて、第２始動口スイッチ１１２からの検知信号（第２始動口スイッチ１１２が「ＯＮ」になったことを示すＯＮ信号）が入力されたか否かに基づいて、第２始動口スイッチ１１２が「ＯＮ」になったか否かを判定する（ステップＳ２２１）。
【０１３２】
メインＣＰＵ１０１は、第２始動口スイッチ１１２が「ＯＮ」になったと判定した場合（ステップＳ２２１：ＹＥＳ）、例えば、メインＲＡＭ１０３に記憶されている長当たり遊技フラグ、短当たり遊技フラグ、又は小当たり遊技フラグが「ＯＮ」に設定されているか否かに基づいて、特別遊技中であるか否かを判定する（ステップＳ２２２）。
【０１３３】
ここで、長当たり遊技フラグは、大入賞口１３を長開放する複数の長開放ラウンド遊技からなる長当たり遊技の実行中であるか否かを示すフラグであり、長当たり遊技の開始時に「ＯＮ」に設定され、長当たり遊技の終了時に「ＯＦＦ」に設定される。短当たり遊技フラグは、大入賞口１３を短開放する複数の短開放ラウンド遊技からなる短当たり遊技の実行中であるか否かを示すフラグであり、短当たり遊技の開始時に「ＯＮ」に設定され、短当たり遊技の終了時に「ＯＦＦ」に設定される。小当たり遊技フラグは、特定入賞口１９を開放する小当たり遊技の実行中であるか否かを示すフラグであり、小当たり遊技の開始時に「ＯＮ」に設定され、小当たり遊技の終了時に「ＯＦＦ」に設定される。
【０１３４】
メインＣＰＵ１０１は、特別遊技中ではないと判定した場合（ステップＳ２２２：ＮＯ）、第１特別図柄表示器４１又は第２特別図柄表示器４２における特別図柄の変動表示中であるか否かを判定する（ステップＳ２２３）。ここで、特別図柄の変動表示中ではないと判定した場合（ステップＳ２２３：ＮＯ）、第２特別図柄判定に使用する取得情報として、大当たり乱数、大当たり用図柄乱数、小当たり用図柄乱数、リーチ乱数、及び変動パターン乱数を取得し、これらの乱数を対応付けてメインＲＡＭ１０３の所定領域に格納する（ステップＳ２２４〜Ｓ２２８）。
【０１３５】
このように、特別遊技中ではなく特別図柄の変動表示中でもないときに第２始動口１２に遊技球が入賞した場合には、メインＣＰＵ１０１は、第２特別図柄判定に使用する各種乱数を、メインＲＡＭ１０３の判定用記憶領域に直接格納する。この判定用記憶領域は、特別図柄判定が実際に実行されるときにその特別図柄判定に使用される各種乱数が記憶される記憶領域である。なお、第１始動口１１に遊技球が入賞した場合には、メインＣＰＵ１０１は、第１特別図柄判定に使用する各種乱数をメインＲＡＭ１０３の保留記憶領域に格納し、実際に第１特別図柄判定を行って特別図柄の変動表示を開始させるときに、保留記憶領域に記憶されている各種乱数を判定用記憶領域にシフトさせる。
【０１３６】
以上説明したように、本実施形態では、特別図柄の変動表示中や特別遊技中に第２始動口１２に遊技球が入賞したためにその入賞に対応する第２特別図柄判定に係る特別図柄の変動表示を直ちに開始できない場合には、第２始動口１２への遊技球の入賞に基づく第２特別図柄判定は行われない（すなわち、第２特別図柄判定の権利は保留されない）。一方、第１始動口１１に遊技球が入賞したときにその入賞に対応する第１特別図柄判定に係る特別図柄の変動表示を直ちに開始できない場合であっても、第１特別図柄判定の権利は、４つを上限として保留される。
【０１３７】
［遊技制御基板１００によるゲートスイッチ処理］
図２２は、図１９のステップＳ２３におけるゲートスイッチ処理の詳細フローチャートである。図２２に示されるように、メインＣＰＵ１０１は、ステップＳ２２の第２始動口スイッチ処理に続いて、ゲートスイッチ１１４からの検知信号（ゲートスイッチ１１４が「ＯＮ」になったことを示すＯＮ信号）が入力されたか否かに基づいて、ゲートスイッチ１１４が「ＯＮ」になったか否かを判定する（ステップＳ２３１）。
【０１３８】
メインＣＰＵ１０１は、ゲートスイッチ１１４が「ＯＮ」になったと判定した場合（ステップＳ２３１：ＹＥＳ）、メインＲＡＭ１０３に記憶されている普通図柄判定の保留数Ｔが、メインＲＯＭ１０２に予め記憶されている普通図柄判定の最大保留数Ｔｍａｘ（例えば「４」）未満であるか否かを判定する（ステップＳ２３２）。
【０１３９】
メインＣＰＵ１０１は、保留数Ｔが最大保留数Ｔｍａｘ未満であると判定した場合（ステップＳ２３２：ＹＥＳ）、保留数Ｔを「１」加算した値に更新し（ステップＳ２３３）、この処理によって保留された普通図柄判定に使用される普通図柄乱数を取得して、メインＲＡＭ１０３に格納する（ステップＳ２３４）。
【０１４０】
［遊技制御基板１００による特別図柄処理］
次に、図２３を参照しつつ、遊技制御基板１００によって実行される特別図柄処理の詳細について説明する。ここで、図２３は、図１８のステップＳ３における特別図柄処理の詳細フローチャートである。図２３に示されるように、遊技制御基板１００のメインＣＰＵ１０１は、メインＲＡＭ１０３に記憶されている長当たり遊技フラグ、短当たり遊技フラグ、又は小当たり遊技フラグが「ＯＮ」に設定されているか否かに基づいて、特別遊技中であるか否かを判定する（ステップＳ３０１）。ここで、特別遊技中であると判定された場合（ステップＳ３０１：ＹＥＳ）、ステップＳ４の普通図柄処理に処理が進められる。
【０１４１】
メインＣＰＵ１０１は、特別遊技中ではないと判定した場合（ステップＳ３０１：ＮＯ）、特別図柄の変動表示中であるか否かを判定する（ステップＳ３０２）。ここで、特別図柄の変動表示中であると判定された場合（ステップＳ３０２：ＹＥＳ）、後述するステップＳ３１５に処理が進められる。
【０１４２】
メインＣＰＵ１０１は、特別図柄の変動表示中ではないと判定した場合（ステップＳ３０２：ＮＯ）、第２始動口入賞に係る各種乱数がメインＲＡＭ１０３の判定用記憶領域に記憶されているか否かを判定する（ステップＳ３０３）。具体的には、遊技球が第２始動口１２に入賞したことに応じて取得された各種乱数が判定用記憶領域に直接記憶されると共に、第２始動口入賞に係る各種乱数が記憶されたことを示すフラグが判定用記憶領域に記憶されるので、このフラグが記憶されているか否かに基づいて、判定用記憶領域に第２始動口入賞に係る各種乱数が記憶されているかを判別する。ここで、第２始動口入賞に係る乱数が記憶されていると判定された場合（ステップＳ３０３：ＹＥＳ）、後述するステップＳ３０７に処理が進められる。
【０１４３】
メインＣＰＵ１０１は、第２始動口入賞に係る乱数が判定用記憶領域に記憶されていないと判定した場合（ステップＳ３０３：ＮＯ）、メインＲＡＭ１０３に記憶されている第１特別図柄判定の保留数Ｕ１が「１」以上であるか否かを判定する（ステップＳ３０４）。ここで、保留数Ｕ１が「１」以上ではないと判定された場合（ステップＳ３０４：ＮＯ）、すなわち、第１特別図柄判定の権利が保留されていない場合、客待ちフラグが「ＯＮ」か否かを判定する（ステップＳ３２１）。客待ちフラグが「ＯＮ」でなければ、客待ちコマンドをメインＲＡＭ１０３にセットして（ステップＳ３２２）、客待ちフラグを「ＯＮ」にする（ステップＳ３２３）。
【０１４４】
メインＣＰＵ１０１は、保留数Ｕ１が「１」以上であると判定した場合（ステップＳ３０４：ＹＥＳ）、保留数Ｕ１を「１」減算した値に更新する（ステップＳ３０５）。そして、メインＲＡＭ１０３の記憶領域に対するシフト処理を実行する（ステップＳ３０６）。具体的には、メインＲＡＭ１０３の保留記憶領域に記憶されている第１特別図柄判定に係る大当たり乱数、大当たり用図柄乱数、リーチ乱数、及び変動パターン乱数について、保留記憶領域に最初に格納されたもの（最も古いもの）を判定用記憶領域にシフトさせ、残りのものを判定用記憶領域側にシフトさせる。
【０１４５】
メインＣＰＵ１０１は、ステップＳ３０６の処理を実行した場合、又は第２始動口入賞に係る乱数が判定用記憶領域に記憶されていると判定した場合（ステップＳ３０３：ＹＥＳ）、判定用記憶領域に記憶されている乱数に基づいて、大当たり判定処理を実行する（ステップＳ３０７）。この大当たり判定処理が実行されることによって、大当たり、小当たり、及びハズレのいずれであるかが判定され、その判定結果を示す判定図柄の設定情報がメインＲＡＭ１０３にセットされる。そして、大当たり（１種大当たり）であると判定された場合には大当たりの種類が決定され、小当たりであると判定された場合には小当たり遊技中にＶ入賞口９２に遊技球が入賞したことを契機として発生する２種大当たりの種類が決定される。この大当たり判定処理については、図２４に基づいて後に詳述する。
【０１４６】
ステップＳ３０７の処理に続いて、メインＣＰＵ１０１は、変動パターン選択処理を実行する（ステップＳ３０８）。具体的には、メインＲＯＭ１０２に予め記憶されている変動パターンテーブルを参照して、ステップＳ３０７における大当たり判定処理の結果、メインＲＡＭ１０３にセットされた判定図柄の種類、現在の遊技状態、第１特別図柄判定の保留数Ｕ１、上記ステップＳ３０７の処理で使用した大当たり乱数と一緒に判定用記憶領域に記憶されているリーチ乱数及び変動パターン乱数に基づいて、特別図柄の変動パターンを選択する。このステップＳ３０８の処理が行われることによって、リーチ有り演出を行うか、或いはリーチ無し演出を行うかも併せて決定される。
【０１４７】
ステップＳ３０８の処理に続いて、メインＣＰＵ１０１は、ステップＳ３０７の処理で設定した図柄の設定情報、この図柄の設定情報が第１特別図柄判定に係るものであるか或いは第２特別図柄判定に係るものであるかを示す情報、ステップＳ３０８の処理で設定した変動パターンの設定情報、リーチ有り演出とリーチ無し演出のどちらの演出を行うかを示す情報、パチンコ遊技機１の遊技状態に関する情報等を含む変動開始コマンドをメインＲＡＭ１０３にセットする（ステップＳ３０９）。この変動開始コマンドは、特別図柄の変動表示に伴う変動演出の開始を指示するコマンドであって、ステップＳ９の送信処理によって演出制御基板１３０に送信される。
【０１４８】
これに対して、演出制御基板１３０は、遊技制御基板１００から受信した変動開始コマンドを解析することによって、特別図柄判定の結果を特定し、リーチ有り演出とリーチ無し演出のどちらを行う必要があるのかを判定し、特別図柄が変動表示される変動時間を取得し、パチンコ遊技機１の遊技状態を特定する。そして、第１特別図柄表示器４１又は第２特別図柄表示器４２における特別図柄の変動表示に伴って、メイン液晶表示装置５にどのような演出画像を表示するか、スピーカ２４からどのような音を出力するか、枠ランプ２５をどのような発光パターンで発光させるか、ロゴ役物７を作動させるか否か等を決定し、決定した内容の演出を画像音響制御基板１４０及びランプ制御基板１５０に実行させる。
【０１４９】
ステップＳ３０９の処理に続いて、メインＣＰＵ１０１は、ステップＳ３０９の処理でセットした変動開始コマンドに含まれている設定情報に基づいて、特別図柄の変動表示を開始する（ステップＳ３１０）。
【０１５０】
なお、ステップＳ３１０における特別図柄の変動表示は、判定用記憶領域に第１特別図柄判定に係る乱数が記憶されている状態でステップＳ３０７〜ステップＳ３０９の処理が行われた場合には第１特別図柄表示器４１を用いて行われ、第２特別図柄判定に係る乱数が記憶されている状態でステップＳ３０７〜ステップＳ３０９の処理が行われた場合には第２特別図柄表示器４２を用いて行われる。
【０１５１】
ステップＳ３１０に続いて、メインＣＰＵ１０１は、メインＲＡＭ１０３に記憶されている客待ちフラグが「ＯＮ」に設定されているか否かを判定する（ステップＳ３１１）。ここで、客待ちフラグは、パチンコ遊技機１が客待ち状態であるか否かを示すフラグであり、第１特別図柄判定の権利が保留されておらず且つ第１特別図柄判定又は第２特別図柄判定に係る特別図柄の変動表示が行われなくなったタイミングで「ＯＮ」に設定され、特別図柄の変動表示が再び開始されることで「ＯＦＦ」に設定される。
【０１５２】
メインＣＰＵ１０１は、客待ちフラグが「ＯＮ」に設定されていると判定した場合（ステップＳ３１１：ＹＥＳ）、客待ちフラグを「ＯＦＦ」に設定する（ステップＳ３１２）。一方、客待ちフラグが「ＯＮ」に設定されていないと判定された場合（ステップＳ３１１：ＮＯ）、ステップＳ３１３に処理が進められる。
【０１５３】
メインＣＰＵ１０１は、ステップＳ３１２の処理を実行した場合、又は客待ちフラグが「ＯＮ」に設定されていないと判定した場合（ステップＳ３１１：ＮＯ）、変動時間の計測を開始する（ステップＳ３１３）。
【０１５４】
メインＣＰＵ１０１は、ステップＳ３１３の処理を実行した場合、又は特別図柄の変動表示中であると判定した場合（ステップＳ３０２：ＹＥＳ）、ステップＳ３１３における変動時間の計測開始から、ステップＳ３０８の処理によって選択された変動パターンに対応する変動時間が経過したか否かを判定する（ステップＳ３１５）。ここで、変動時間が経過していないと判定された場合（ステップＳ３１５：ＮＯ）、一連の特別図柄処理が終了してステップＳ４の普通図柄処理に処理が進められる。
【０１５５】
メインＣＰＵ１０１は、変動時間が経過したと判定した場合（ステップＳ３１５：ＹＥＳ）、第１特別図柄表示器４１又は第２特別図柄表示器４２に特別図柄判定の判定結果を示す判定図柄が停止表示されることを通知する変動停止コマンドをメインＲＡＭ１０３にセットする（ステップＳ３１６）。この変動停止コマンドは、ステップＳ９における送信処理によって演出制御基板１３０に送信される。これにより、メイン液晶表示装置５に変動表示されていた装飾図柄を特別図柄判定の判定結果を示す態様で停止表示させる処理等が行われることになる。
【０１５６】
ステップＳ３１６の処理に続いて、メインＣＰＵ１０１は、ステップＳ３１０の処理で開始した特別図柄の変動表示を終了する（ステップＳ３１７）。その際、ステップＳ３０７の処理で設定した判定図柄（大当たり図柄、小当たり図柄、又はハズレ図柄）を、特別図柄を変動表示していた特別図柄表示器に停止表示させる。すなわち、第１特別図柄表示器４１に大当たり図柄又はハズレ図柄を停止表示させ、第２特別図柄表示器４２に大当たり図柄、小当たり図柄、又はハズレ図柄を停止表示させる。
【０１５７】
ステップＳ３１７の処理に続いて、メインＣＰＵ１０１は、上記ステップＳ３１３の処理で計測を開始した変動時間をリセットし（ステップＳ３１８）、大当たりである場合に第１特別遊技を開始させ、小当たりである場合に小当たり遊技を開始させる処理等を含む停止中処理を実行する（ステップＳ３１９）。この停止中処理については、図２５に基づいて後に詳述する。
【０１５８】
［遊技制御基板１００による大当たり判定処理］
図２４は、図２３のステップＳ３０７における大当たり判定処理の詳細フローチャートである。メインＣＰＵ１０１は、メインＲＡＭ１０３の判定用記憶領域に第２特別図柄判定に係る乱数が記憶されていると判定した場合（ステップＳ３０３：ＹＥＳ）、又はステップＳ３０６の処理を実行した場合、図２４に示されるように、大当たり判定を実行する（ステップＳ３０７１）。ここで、第２始動口入賞に係る大当たり判定を実行する場合にはメインＲＯＭ１０２に予め記憶されている第２始動口入賞用大当たり判定テーブルを参照し、第１始動口入賞に係る大当たり判定を実行する場合にはメインＲＯＭ１０２に予め記憶されている第１始動口入賞用大当たり判定テーブルを参照する。
【０１５９】
第２始動口入賞用大当たり判定テーブルには、判定結果と乱数値とが対応付けられて記憶されている。具体的には、大当たりに対する乱数値と、小当たりに対する乱数値と、ハズレに対する乱数値とが記憶されている。メインＣＰＵ１０１は、第２始動口入賞に係る大当たり判定を実行する場合、判定用記憶領域に記憶されている大当たり乱数が、第２始動口入賞用大当たり判定テーブルに規定されているどの乱数値と一致するかに基づいて、大当たり（１種大当たり）であるか、小当たりであるか、又はハズレであるかを判定する。
【０１６０】
第１始動口入賞用大当たり判定テーブルには、判定結果と乱数値とが対応付けられて記憶されている。具体的には、大当たりに対する乱数値とハズレに対する乱数値とが記憶されている。メインＣＰＵ１０１は、第１始動口入賞に係る大当たり判定を実行する場合、判定用記憶領域に記憶されている大当たり乱数が、第１始動口入賞用大当たり判定テーブルに規定されているどの乱数値と一致するかに基づいて、大当たり（１種大当たり）であるか、又はハズレであるかを判定する。
【０１６１】
このように、メインＣＰＵ１０１は、第１特別図柄判定又は第２特別図柄判定に係る各種乱数が判定用記憶領域に記憶されるといった始動条件が成立すると、判定用記憶領域に記憶されている各種乱数に基づいて、第１特別遊技を行うか否かを判定する。
【０１６２】
メインＣＰＵ１０１は、ステップＳ３０７１の判定結果に基づいて、１種大当たりであるか否かを判定する（ステップＳ３０７２）。ここで、１種大当たりであると判定した場合（ステップＳ３０７２：ＹＥＳ）、すなわち、判定用記憶領域に記憶されている大当たり乱数が第２始動口入賞用大当たり判定テーブル又は第１始動口入賞用大当たり判定テーブルに規定されている大当たりの乱数値と一致した場合、メインＲＯＭ１０２に予め記憶されている大当たり時の図柄決定テーブルを参照して大当たりの種類を決定する（ステップＳ３０７３）。
【０１６３】
大当たり時の図柄決定テーブルには、当たりの種類と乱数値とが対応付けられて記憶されている。メインＣＰＵ１０１は、大当たり乱数と一緒に判定用記憶領域に記憶されている大当たり用図柄乱数が、大当たり時の図柄決定テーブルに規定されているどの乱数値と一致するかに基づいて、１種大当たりの種類を決定する。第１特別図柄判定における１種大当たりの種類としては、「時短無し７Ｒ当たり」、「時短付き４Ｒ当たり」、「突然時短当たり」が例として挙げられ、第２特別図柄判定における１種大当たりの種類としては、「時短無し４Ｒ当たり」、「時短付き１５Ｒ当たり」、「時短付き４Ｒ当たり」が例として挙げられる（図４参照）。
【０１６４】
そして、メインＣＰＵ１０１は、ステップＳ３０７３で決定した大当たりの種類に応じた大当たり図柄を設定情報としてメインＲＡＭ１０３にセットする（ステップＳ３０７４）。これにより、上記ステップＳ３１７の処理の際にここでセットされた大当たり図柄が第１特別図柄表示器４１又は第２特別図柄表示器４２に判定図柄として停止表示されて、特別遊技が実行されることになる。
【０１６５】
一方、メインＣＰＵ１０１は、特別図柄判定の結果が１種大当たりではないと判定した場合（ステップＳ３０７２：ＮＯ）、判定用記憶領域に第２特別図柄判定に係るフラグが記憶されているか否かに基づいて、この特別図柄判定が第１始動口入賞に係る第１特別図柄判定であるか否かを判断する（ステップＳ３０７５）。ここで、第１特別図柄判定であると判断した場合（ステップＳ３０７５：ＹＥＳ）、第１特別図柄判定の判定結果が大当たりでない場合にはハズレであるので、ハズレ図柄を設定情報としてメインＲＡＭ１０３にセットする（ステップＳ３０７６）。これにより、上記ステップＳ３１７の処理の際にここでセットされたハズレ図柄が第１特別図柄表示器４１に判定図柄として停止表示されることになる。
【０１６６】
ところで、第２特別図柄判定の判定結果が大当たりではない場合、その判定結果は、小当たり又はハズレとなる。これに対して、メインＣＰＵ１０１は、第１特別図柄判定ではないと判定した場合（ステップＳ３０７５：ＮＯ）、すなわち今回の特別図柄判定が第２特別図柄判定である場合、ステップＳ３０７１における大当たり判定の結果が小当たりであるか否かを判定する（ステップＳ３０７７）。具体的には、判定用記憶領域に記憶されている大当たり乱数が、第２始動口入賞用大当たり判定テーブルに規定されている小当たりに対応する乱数値と一致するか否かに基づいて、第２特別図柄判定の判定結果が小当たりであるかハズレであるかを判定する。
【０１６７】
メインＣＰＵ１０１は、第２特別図柄判定の結果が小当たりではないと判定した場合（ステップＳ３０７７：ＮＯ）、上記ステップＳ３０７６に処理が進められる。この場合、上記ステップＳ３１７の処理の際にここでセットされたハズレ図柄が第２特別図柄表示器４２に判定図柄として停止表示されることになる。
【０１６８】
一方、メインＣＰＵ１０１は、第２特別図柄判定の結果が小当たりであると判定した場合（ステップＳ３０７７：ＹＥＳ）、メインＲＯＭ１０２に予め記憶されている小当たり時の図柄決定テーブルを参照して小当たりの種類を決定する（ステップＳ３０７８）。具体的には、判定用記憶領域に記憶されている小当たり用図柄乱数が、小当たり時の図柄決定テーブルに規定されているどの乱数値と一致するかに基づいて、小当たりの種類を決定する。そして、決定した小当たり図柄を設定情報としてメインＲＡＭ１０３にセットする（ステップＳ３０７９）。これにより、上記ステップＳ３１７の処理の際にここでセットされた小当たり図柄が第２特別図柄表示器４２に判定図柄として停止表示されることになる。
【０１６９】
このようにして小当たり図柄が第２特別図柄表示器４２に停止表示されると、上述した小当たり遊技が開始される。そして、小当たり遊技中にＶ入賞口９２に遊技球が入賞すると２種大当たりとなり、小当たり遊技を１ラウンド目とする第２特別遊技が行われることになる。なお、２種大当たりの種類は、第２特別図柄表示器４２に停止表示された小当たり図柄に基づいて決定される。このため、小当たりの種類を決定する処理は、２種大当たりの種類を決定する処理と捉えることができる。２種大当たりの種類としては、「時短付き１５Ｒ当たり」、「時短付き４Ｒ当たり」、「時短無し４Ｒ当たり」が例として挙げられる（図４参照）。
【０１７０】
［遊技制御基板１００による停止中処理］
図２５は、図２３のステップＳ３１９における停止中処理の詳細フローチャートである。ここで、「停止中処理」は、特別図柄判定の結果を示す特別図柄が第１特別図柄表示器４１又は第２特別図柄表示器４２に停止表示される毎に、その特別図柄判定の結果に応じた処理を実行するものである。
【０１７１】
メインＣＰＵ１０１は、上記ステップＳ３１８の処理によって変動時間をリセットした後、図２５に示されるように、上記ステップＳ３０７１の大当たり判定の結果に基づいて、１種大当たりであるか否かを判定する（ステップＳ３１９１）。ここで、１種大当たりであると判定した場合（ステップＳ３１９１：ＹＥＳ）、１種大当たりに対して実行される第１特別遊技が、長当たり遊技であるか短当たり遊技であるかを判定する（ステップＳ３１９２）。具体的には、上記ステップＳ３０７４の処理でメインＲＡＭ１０３にセットされた大当たり図柄を設定情報に基づいて、長当たり遊技が行われるか短当たり遊技が行われるかを判定する。なお、本実施形態では、「突然時短当たり」のときにのみ短当たり遊技が行われ、これ以外の１種大当たりに対しては長当たり遊技が行われる。
【０１７２】
メインＣＰＵ１０１は、長当たり遊技であると判定した場合には（ステップＳ３１９２：ＹＥＳ）、長当たり遊技フラグを「ＯＮ」に設定し（ステップＳ３１９３）、長当たり遊技ではないと判定した場合には（ステップＳ３１９２：ＮＯ）、短当たり遊技フラグを「ＯＮ」に設定する（ステップＳ３１９４）。
【０１７３】
ステップＳ３１９３の処理又はステップＳ３１９４の処理に続いて、メインＣＰＵ１０１は、メインＲＡＭ１０３に記憶されている時短遊技フラグが「ＯＮ」に設定されているか否かを判定する（ステップＳ３１９５）。この時短遊技フラグは、パチンコ遊技機１の遊技状態が時短遊技状態であるか否かを示すフラグであり、通常遊技状態から時短遊技状態に移行する際に「ＯＮ」に設定され、時短遊技状態から通常遊技状態に戻される際に「ＯＦＦ」に設定される。ここで、時短遊技フラグが「ＯＮ」に設定されていると判定した場合（ステップＳ３１９５：ＹＥＳ）、時短遊技フラグを「ＯＦＦ」に設定する（ステップＳ３１９６）。逆に、時短遊技フラグが「ＯＮ」に設定されていないと判定された場合（ステップＳ３１９５：ＮＯ）、後述するステップＳ３２０３に処理が進められる。
【０１７４】
一方、メインＣＰＵ１０１は、１種大当たりではないと判定した場合（ステップＳ３１９１：ＮＯ）、時短遊技フラグが「ＯＮ」に設定されているか否かを判定する（ステップＳ３１９７）。ここで、時短遊技フラグが「ＯＮ」に設定されていないと判定された場合（ステップＳ１９７：ＮＯ）、後述するステップＳ３２０１に処理が進められる。
【０１７５】
メインＣＰＵ１０１は、時短遊技フラグが「ＯＮ」に設定されていると判定した場合（ステップＳ３１９７：ＹＥＳ）、メインＲＡＭ１０３に記憶されている時短遊技残余回数Ｗを「１」減算した値に更新する（ステップＳ３１９８）。この時短遊技残余回数Ｗは、時短遊技状態で第２特別図柄判定（又は第１特別図柄判定）が実行される残り回数を示すものであり、時短遊技残余回数Ｗが「０」になると、遊技状態が時短遊技状態から通常遊技状態に戻されることになる。
【０１７６】
ステップＳ３１９８に続いて、メインＣＰＵ１０１は、時短遊技残余回数Ｗが「０」であるか否かを判定する（ステップＳ３１９９）。ここで、時短遊技残余回数Ｗが「０」ではないと判定された場合（ステップＳ３１９９：ＮＯ）、後述するステップＳ３２０１に処理が進められる。
【０１７７】
メインＣＰＵ１０１は、時短遊技残余回数Ｗが「０」であると判定した場合（ステップＳ３１９９：ＹＥＳ）、時短遊技フラグを「ＯＦＦ」に設定する（ステップＳ３２００）。これにより、遊技状態が時短遊技状態から通常遊技状態に戻されることになる。
【０１７８】
メインＣＰＵ１０１は、ステップＳ３２００の処理を実行した場合、時短遊技フラグが「ＯＮ」ではないと判定した場合（ステップＳ３１９７：ＮＯ）、又は時短遊技残余回数Ｗが「０」ではないと判定した場合（ステップＳ３１９９：ＮＯ）、上記ステップＳ３０７７の処理と同様に、小当たりであるか否かを判定する（ステップＳ３２０１）。ここで、小当たりではないと判定された場合（ステップＳ３２０１：ＮＯ）、ステップＳ４の普通図柄処理に処理が進められる。
【０１７９】
メインＣＰＵ１０１は、小当たりであると判定した場合（ステップＳ３２０１：ＹＥＳ）、小当たり遊技フラグを「ＯＮ」に設定する（ステップＳ３２０２）。
【０１８０】
メインＣＰＵ１０１は、ステップＳ３１９６の処理を実行した場合、時短遊技フラグが「ＯＮ」に設定されていないと判定した場合（ステップＳ３１９５：ＮＯ）、又はステップＳ３２０２の処理を実行した場合、メインＲＡＭ１０３にオープニングコマンドをセットする（ステップＳ３２０３）。ここで、オープニングとは、長当たり遊技又は短当たり遊技が開始されてから最初に大入賞口１３が開放され始めるまでの期間、又は小当たり遊技が開始されてから最初に特定入賞口１９が開放され始めるまでの期間のことをいう。これに対して、オープニングコマンドは、これらのオープニングが開始されることを通知するためのコマンドであり、ステップＳ９の送信処理によって演出制御基板１３０に送信される。
【０１８１】
［遊技制御基板１００による普通図柄処理］
図２６は、図１８のステップＳ４における普通図柄処理の詳細フローチャートである。メインＣＰＵ１０１は、ステップＳ３の特別図柄処理に続いて、メインＲＡＭ１０３に記憶されている補助遊技フラグが「ＯＮ」に設定されているか否かを判定する（ステップＳ４０１）。この補助遊技フラグは、電動チューリップ１７が規定時間だけ開姿勢を維持した後に閉姿勢に戻る動作を規定回数行う補助遊技中であるか否かを示すフラグであり、補助遊技中は「ＯＮ」に設定され、補助遊技中でないときは「ＯＦＦ」に設定される。
【０１８２】
ステップＳ４０１において、補助遊技フラグが「ＯＮ」に設定されていると判定された場合（ステップＳ４０１：ＹＥＳ）、ステップＳ５の電動チューリップ処理に処理が進められる。
【０１８３】
メインＣＰＵ１０１は、補助遊技フラグが「ＯＮ」に設定されていないと判定した場合（ステップＳ４０１：ＮＯ）、普通図柄表示器４５における普通図柄の変動表示中であるか否かを判定し（ステップＳ４０２）、普通図柄の変動表示中ではないと判定した場合（ステップＳ４０２：ＮＯ）、普通図柄判定の保留数Ｔが「１」以上であるか否かを判定する（ステップＳ４０３）。ここで、保留数Ｔが「１」以上ではないと判定された場合（ステップＳ４０３：ＮＯ）、ステップＳ５の電動チューリップ処理に処理が進められる。
【０１８４】
メインＣＰＵ１０１は、保留数Ｔが「１」以上であると判定した場合（ステップＳ４０３：ＹＥＳ）、保留数Ｔを「１」減算した値に更新し（ステップＳ４０４）、当たり乱数判定処理を実行する（ステップＳ４０５）。具体的には、上記ステップＳ２３４（図２０参照）に処理によってメインＲＡＭ１０３に記憶された普通図柄乱数の中で最も古い普通図柄乱数が、予めメインＲＯＭ１０２に記憶されている普通図柄判定に係る当選値のいずれかと一致するか否かに基づいて、普通図柄判定の判定結果が当たりであるか否かを判定する。
【０１８５】
ステップＳ４０５の処理に続いて、メインＣＰＵ１０１は、ステップＳ４０５の判定結果に基づいて、普通図柄判定の判定結果が当たりであるか否かを判断し（ステップＳ４０６）、当たりであると判断した場合（ステップＳ４０６：ＹＥＳ）、普通図柄表示器４５に判定図柄として停止表示させる当たり図柄をメインＲＡＭ１０３にセットする（ステップＳ４０７）。逆に、普通図柄判定の判定結果が当たりではないと判断した場合（ステップＳ４０６：ＮＯ）、ハズレ図柄をメインＲＡＭ１０３にセットする（ステップＳ４０８）。
【０１８６】
ステップＳ４０７又はステップＳ４０８の処理に続いて、メインＣＰＵ１０１は、時短遊技フラグが「ＯＮ」に設定されているか否かに基づいて、パチンコ遊技機１の現在の遊技状態が通常遊技状態であるか否かを判定する（ステップＳ４０９）。
【０１８７】
メインＣＰＵ１０１は、現在の遊技状態が通常遊技状態であると判定した場合（ステップＳ４０９：ＹＥＳ）、普通図柄表示器４５に普通図柄を変動表示させる普通図柄変動時間を例えば２５秒にセットする（ステップＳ４１０）。
【０１８８】
一方、メインＣＰＵ１０１は、現在の遊技状態が通常遊技状態ではないと判定した場合（ステップＳ４０９：ＮＯ）、普通図柄変動時間を例えば２秒にセットする（ステップＳ４１１）。
【０１８９】
このようにしてステップＳ４１０又はステップＳ４１１の処理によってセットされた普通図柄変動時間は、メインＲＡＭ１０３に一時的に記憶される。
【０１９０】
ステップＳ４１０又はステップＳ４１１の処理に続いて、メインＣＰＵ１０１は、普通図柄表示器４５による普通図柄の変動表示を開始させ（ステップＳ４１２）、その変動表示開始からの経過時間の計測を開始する（ステップＳ４１３）。
【０１９１】
一方、メインＣＰＵ１０１は、普通図柄表示器４５による普通図柄の変動表示中であると判定した場合（ステップＳ４０２：ＹＥＳ）、普通図柄の変動表示を終了させるか否かを判定する（ステップＳ４１５）。具体的には、ステップＳ４１３の処理によって計測を開始した経過時間が、ステップＳ４１０又はステップＳ４１１でセットした普通図柄変動時間に達したか否かに基づいて、普通図柄の変動表示を終了させるか否かを判定する。ここで、普通図柄の変動表示を終了させないと判定された場合（ステップＳ４１５：ＮＯ）、ステップＳ５の電動チューリップ処理に処理が進められる。
【０１９２】
メインＣＰＵ１０１は、普通図柄の変動表示を終了させると判定した場合（ステップＳ４１５：ＹＥＳ）、普通図柄表示器４５における普通図柄の変動表示を終了させてステップＳ４０７の処理でメインＲＡＭ１０３にセットされた当たり図柄又はステップＳ４０８の処理でメインＲＡＭ１０３にセットされたハズレ図柄を停止表示させる（ステップＳ４１６）。そして、ステップＳ４１３の処理で計測を開始した経過時間をリセットする（ステップＳ４１７）。そして、上記ステップＳ４０６の処理と同様に、普通図柄判定の判定結果が当たりであるか否かを判定する（ステップＳ４１８）。ここで、普通図柄判定の判定結果が当たりであると判定した場合（ステップＳ４１８：ＹＥＳ）、補助遊技フラグを「ＯＮ」に設定する（ステップＳ４１９）。このようにして補助遊技フラグが「ＯＮ」に設定されることにより、電動チューリップ１７を作動させる補助遊技が開始されることになる。
【０１９３】
［遊技制御基板１００による電動チューリップ処理］
図２７は、図１８のステップＳ５における電動チューリップ処理の詳細フローチャートである。ステップＳ４の普通図柄処理に続いて、メインＣＰＵ１０１は、補助遊技フラグが「ＯＮ」に設定されているか否かを判定する（ステップＳ５０１）。ここで、補助遊技フラグが「ＯＮ」に設定されていないと判定された場合（ステップＳ５０１：ＮＯ）、ステップＳ６の特定領域開放制御処理に処理が進められる。
【０１９４】
メインＣＰＵ１０１は、補助遊技フラグが「ＯＮ」に設定されていると判定した場合（ステップＳ５０１：ＹＥＳ）、電動チューリップ１７が動作中であるか否かを判定する（ステップＳ５０２）。ここで、電動チューリップ１７が動作中であると判定された場合（ステップＳ５０２：ＹＥＳ）、後述するステップＳ５０７に処理が進められる。
【０１９５】
メインＣＰＵ１０１は、電動チューリップ１７が動作中ではないと判定した場合（ステップＳ５０２：ＮＯ）、時短遊技フラグが「ＯＮ」に設定されているか否かに基づいて、現在の遊技状態が通常遊技状態であるか否かを判定する（ステップＳ５０３）。ここで、現在の遊技状態が通常遊技状態であると判定した場合（ステップＳ５０３：ＹＥＳ）、電動チューリップ１７の動作パターンとして、第２始動口１２を０．１秒間開放する動作を１回行う動作パターンをメインＲＡＭ１０３にセットする（ステップＳ５０４）。
【０１９６】
一方、メインＣＰＵ１０１は、現在の遊技状態が通常遊技状態ではないと判定した場合（ステップＳ５０３：ＮＯ）、すなわち時短遊技状態である場合、電動チューリップ１７の動作パターンとして、第２始動口１２を０．３秒間開放する動作を５回行う動作パターンをメインＲＡＭ１０３にセットする（ステップＳ５０５）。
【０１９７】
メインＣＰＵ１０１は、ステップＳ５０４又はステップＳ５０５で動作パターンをセットした後、セットした動作パターンでの電動チューリップ１７の動作を電動チューリップ開閉部１１３に開始させる（ステップＳ５０６）。
【０１９８】
メインＣＰＵ１０１は、ステップＳ５０６の処理を実行した場合、又は電動チューリップ１７の動作中であると判定した場合（ステップＳ５０２：ＹＥＳ）、ステップＳ５０６の処理で開始された電動チューリップ１７の動作が完了したか否かを判定する（ステップＳ５０７）。ここで、電動チューリップ１７の動作が完了したと判定した場合（ステップＳ５０７：ＹＥＳ）、メインＲＡＭ１０３に記憶されている補助遊技フラグを「ＯＦＦ」に設定する（ステップＳ５０８）。これにより、補助遊技が終了される。
【０１９９】
［遊技制御基板１００による特定領域開閉制御処理］
第２特別図柄判定の結果が小当たりである場合、ステップＳ６の特定領域開放制御処理によって小当たり遊技が実行される。以下、図２８及び図２９を参照しつつ、遊技制御基板１００によって実行される特定領域開放制御処理について説明する。ここで、図２８及び図２９は、図１８のステップＳ６における特定領域開放制御処理の詳細フローチャートである。
【０２００】
ステップＳ５の電動チューリップ処理に続いて、メインＣＰＵ１０１は、図２８に例示されるように、小当たり遊技フラグが「ＯＮ」に設定されているか否かを判定する（ステップＳ６０１）。ここで、小当たり遊技フラグが「ＯＮ」に設定されていないと判定された場合（ステップＳ６０１：ＮＯ）、ステップＳ７の大入賞口開放制御処理に処理が進められる。
【０２０１】
メインＣＰＵ１０１は、小当たり遊技フラグが「ＯＮ」に設定されていると判定した場合（ステップＳ６０１：ＹＥＳ）、例えば上記ステップＳ３１９９の処理において小当たり遊技に係るオープニングコマンドをセットしてからの経過時間に基づいて、小当たり遊技のオープニング中であるか否かを判定する（ステップＳ６０２）。ここで、オープニング中であると判定した場合（ステップＳ６０２：ＹＥＳ）、予め定められたオープニング時間が経過したか否かを判定する（ステップＳ６０３）。ここで、オープニング時間が経過していないと判定された場合（ステップＳ６０３：ＮＯ）、ステップＳ７の大入賞口開放制御処理に処理が進められる。
【０２０２】
メインＣＰＵ１０１は、オープニング時間が経過したと判定した場合（ステップＳ６０３：ＹＥＳ）、メインＲＡＭ１０３に記憶されている特定入賞口１９への遊技球の入賞数Ｘをリセットし（ステップＳ６０４）、特定領域開閉部１１９による特定入賞口１９の開放制御を開始し（ステップＳ６０５）、この開放制御が開始されてからの経過時間の計測を開始する（ステップＳ６０６）。
【０２０３】
このステップＳ６０５の処理が行われることによって、羽根部材９０が特定入賞口１９を３．２秒間開放してから閉塞する動作が１回行われることになる。
【０２０４】
一方、メインＣＰＵ１０１は、小当たり遊技におけるオープニング中ではないと判定した場合（ステップＳ６０２：ＮＯ）、例えば小当たり遊技開始からの経過時間に基づいて、小当たり遊技のエンディング中であるか否かを判定する（ステップＳ６０８）。ここで、エンディング中であると判定された場合（ステップＳ６０８：ＹＥＳ）、後述するステップＳ６２５（図２９参照）に処理が進められる。
【０２０５】
メインＣＰＵ１０１は、小当たり遊技におけるエンディング中ではないと判定した場合（ステップＳ６０８：ＮＯ）、特定入賞口スイッチ１１８からの検知信号の入力の有無に基づいて、特定入賞口スイッチ１１８が「ＯＮ」になったか否かを判定する（ステップＳ６０９）。ここで、特定入賞口スイッチ１１８が「ＯＮ」になったと判定した場合（ステップＳ６０９：ＹＥＳ）、特定入賞口１９に１個の遊技球が入賞したと判断して、遊技球の入賞数Ｘを「１」加算した値に更新する（ステップＳ６１０）。
【０２０６】
メインＣＰＵ１０１は、ステップＳ６１０の処理を実行した場合、特定入賞口スイッチ１１８が「ＯＮ」ではないと判定した場合（ステップＳ６０９：ＮＯ）、又はステップＳ６０６の処理を実行した場合、ステップＳ６０６の処理で計測を開始した経過時間が予め設定された設定時間（例えば０．５秒）に達したか否かを判定する（ステップＳ６１１）。ここで、設定時間に達したと判定した場合（ステップＳ６１１：ＹＥＳ）、Ｖ入賞口開閉部１２２にスライド部材９４を作動させてＶ入賞口９２を開放する処理を開始させる（ステップＳ６１２）。これにより、上述した２種大当たりが発生可能となる。
【０２０７】
メインＣＰＵ１０１は、ステップＳ６１２の処理を実行した場合、又は経過時間が設定時間に達していないと判定した場合（ステップＳ６１１：ＮＯ）、Ｖ入賞口スイッチ１２０からの検知信号の入力の有無に基づいて、Ｖ入賞口スイッチ１２０が「ＯＮ」になったか否かを判定する（ステップＳ６１３）。ここで、Ｖ入賞口スイッチ１２０が「ＯＮ」になったと判定した場合（ステップＳ６１３：ＹＥＳ）、メインＲＡＭ１０３に記憶されているＶ入賞フラグを「ＯＮ」に設定する（ステップＳ６１４）。このＶ入賞フラグは、小当たり遊技中にＶ入賞口９２に遊技球が入賞して２種大当たりが発生したか否かを示すフラグであり、Ｖ入賞口９２に遊技球が入賞していない状態では「ＯＦＦ」に設定されており、Ｖ入賞口９２に遊技球が入賞すると「ＯＮ」に設定される。
【０２０８】
メインＣＰＵ１０１は、ステップＳ６１４の処理を実行した場合、又はＶ入賞口スイッチ１２０が「ＯＮ」になっていないと判定した場合（ステップＳ６１３：ＮＯ）、Ｖ入賞口９２の閉塞タイミングであるか否かを判定する（ステップＳ６１５）。具体的には、Ｖ入賞口９２が開放されてから所定の時間（本実施形態では０．２秒）が経過したか否かを判定する。ここで、閉塞タイミングであると判定した場合（ステップＳ６１５：ＹＥＳ）、Ｖ入賞口開閉部１２２にＶ入賞口９２を閉塞させる（ステップＳ６１６）。このようにして、特定入賞口１９の開放から０．５秒後に０．２秒間だけＶ入賞口９２が開放される。
【０２０９】
メインＣＰＵ１０１は、ステップＳ６１６の処理を実行した場合、又はＶ入賞口９２の閉塞タイミングではないと判定した場合（ステップＳ６１５：ＮＯ）、ステップＳ６０６の処理によって計測を開始した経過時間に基づいて、羽根部材９０の規定開放動作（本実施形態では、特定入賞口１９を３．２秒間開放する１回の動作）が終了したか否かを判定する（ステップＳ６１８）。ここで、規定開放動作が終了したと判定された場合（ステップＳ６１８：ＹＥＳ）、後述するステップＳ６２０に処理が進められる。
【０２１０】
メインＣＰＵ１０１は、規定開放動作が終了していないと判定した場合（ステップＳ６１８：ＮＯ）、今回の小当たり遊技における特定入賞口１９への遊技球の入賞数Ｘが、予めメインＲＯＭ１０２に記憶されている特定入賞口１９の閉塞タイミングを規定する遊技球数Ｘｍａｘ（例えば「６」）と一致するか否かを判定する（ステップＳ６１９）。ここで、入賞数Ｘが遊技球数Ｘｍａｘと一致しないと判定された場合（ステップＳ６１９：ＮＯ）、ステップＳ７の大入賞口開放制御処理に処理が進められる。
【０２１１】
一方、メインＣＰＵ１０１は、入賞数Ｘが遊技球数Ｘｍａｘと一致すると判定した場合（ステップＳ６１９：ＹＥＳ）、又は規定開放動作が終了したと判定した場合（ステップＳ６１８：ＹＥＳ）、ステップＳ６０５の処理で開始した特定入賞口１９の開放制御を終了させ（ステップＳ６２０）、ステップＳ６０６の処理で計測を開始した経過時間をリセットし（ステップＳ６２１）、エンディング時間の計測を開始する（ステップＳ６２２）。このステップＳ６２２の処理が行われた場合、ステップＳ７の大入賞口開放制御処理に処理が進められる。ここで、エンディングは、特定入賞口１９の開放が終了してから小当たり遊技が終了するまでの期間をいう。
【０２１２】
このようにして計測が開始されたエンディング時間が所定のエンディング時間に達するまでの間、メイン液晶表示装置５等を用いたエンディング演出が行われる。
【０２１３】
これに対して、メインＣＰＵ１０１は、上記ステップＳ６０８においてエンディング中であると判定した場合（ステップＳ６０８：ＹＥＳ）、図２９に示されるように、ステップＳ６２２の処理で計測を開始したエンディング時間が予め設定されたエンディング時間に達したか否かに基づいて、エンディング時間が経過したか否かを判定する（ステップＳ６２５）。ここで、エンディング時間が経過していないと判定された場合（ステップＳ６２５：ＮＯ）、ステップＳ７の大入賞口開放制御処理に処理が進められる。
【０２１４】
メインＣＰＵ１０１は、エンディング時間が経過したと判定した場合（ステップＳ６２５：ＹＥＳ）、小当たり遊技を終了させるために、メインＲＡＭ１０３に記憶されている小当たり遊技フラグを「ＯＦＦ」に設定する（ステップＳ６２６）。そして、メインＲＡＭ１０３に記憶されているＶ入賞フラグが「ＯＮ」に設定されているか否かを判定する（ステップＳ６２７）。ここで、Ｖ入賞フラグが「ＯＮ」に設定されていないと判定された場合（ステップＳ６２７：ＮＯ）、小当たり遊技中にＶ入賞口９２に遊技球が入賞しなかったと判断されて、ステップＳ７の大入賞口開放制御処理に処理が進められる。これにより、特別遊技が小当たり遊技のみで終了することになる。
【０２１５】
一方、メインＣＰＵ１０１は、Ｖ入賞フラグが「ＯＮ」に設定されていると判定した場合（ステップＳ６２７：ＹＥＳ）、Ｖ入賞フラグを「ＯＦＦ」に設定し（ステップＳ６２８）、小当たり遊技に続いて長開放ラウンド遊技を開始させるために、長当たり遊技フラグを「ＯＮ」に設定する（ステップＳ６２９）。そして、メインＣＰＵ１０１は、時短遊技フラグを「ＯＦＦ」に設定する（ステップＳ６３０）。
【０２１６】
［遊技制御基板１００による大入賞口開放制御処理］
以下、図３０を参照しつつ、遊技制御基板１００によって実行される大入賞口開放制御処理について説明する。ここで、図３０は、図１８のステップＳ７における大入賞口開放制御処理の詳細フローチャートである。
【０２１７】
メインＣＰＵ１０１は、ステップＳ６の特定領域開放制御処理に続いて、図３０に示されるように、長当たり遊技フラグが「ＯＮ」に設定されているか否かを判定する（ステップＳ７１）。ここで、長当たり遊技フラグが「ＯＮ」に設定されていると判定した場合（ステップＳ７１：ＹＥＳ）、長当たり遊技制御処理を実行する（ステップＳ７２）。この長当たり遊技制御処理については、図３１に基づいて後に詳述する。
【０２１８】
メインＣＰＵ１０１は、長当たり遊技フラグが「ＯＮ」に設定されていないと判定した場合（ステップＳ７１：ＮＯ）、短当たり遊技フラグが「ＯＮ」に設定されているか否かを判定する（ステップＳ７５）。ここで、短当たり遊技フラグが「ＯＮ」であると判定した場合（ステップＳ７５：ＹＥＳ）、短当たり遊技制御処理を実行する（ステップＳ７６）。なお、この短当たり遊技制御処理の詳細については省略する。短当たり遊技制御処理では、後に詳述する長当たり遊技処理と同様に大入賞口１３を開閉するための処理が行われるが、大入賞口１３の開放パターンが長当たり遊技とは異なり、１ラウンドにおける大入賞口１３の開放時間が短い（例えば、０．２秒）。このため、遊技者は、長当たりでは大量の賞球が得られるのに対して、短当たりでは殆ど賞球を得られないか、少量の賞球しか得ることができない。
【０２１９】
このステップＳ７６の処理が実行された場合、ステップＳ７２の処理が実行された場合、又は短当たり遊技フラグが「ＯＮ」に設定されていないと判定された場合（ステップＳ７５：ＮＯ）、一連の大入賞口開放制御処理が終了してステップＳ８の賞球処理に処理が進められる。
【０２２０】
［遊技制御基板１００による長当たり遊技制御処理］
図３１は、図３０のステップＳ７２における長当たり遊技制御処理の詳細フローチャートである。この長当たり遊技制御処理は、上述した長開放ラウンド遊技からなる長当たり遊技を実現するための処理である。
【０２２１】
メインＣＰＵ１０１は、長当たり遊技フラグが「ＯＮ」に設定されていると判定した場合（ステップＳ７１：ＹＥＳ）、図３１に示されるように、例えばステップＳ３２０３の処理によってオープニングコマンドをセットしてからの経過時間に基づいて、長当たり遊技のオープニング中であるか否かを判定する（ステップＳ７２１）。ここで、オープニング中であると判定した場合（ステップＳ７２１：ＹＥＳ）、上記経過時間が所定のオープニング時間に達したか否かに基づいて、オープニング時間が経過したか否かを判定する（ステップＳ７２２）。ここで、オープニング時間が経過していないと判定された場合（ステップＳ７２２：ＮＯ）、ステップＳ８の賞球処理に処理が進められる。
【０２２２】
メインＣＰＵ１０１は、オープニング時間が経過したと判定した場合（ステップＳ７２２：ＹＥＳ）、停止表示した大当たり図柄（あるいは小当たり図柄）に応じて、特別遊技のラウンド数Ｒｍａｘ、大入賞口制御部１１６の動作パターン等の情報をメインＲＡＭ１０３に格納する（ステップＳ７２３）。このステップＳ７２３の処理が実行されることによって、ラウンドと次のラウンドとの間のインターバル時間、最終ラウンド終了後のエンディング時間等の長当たり遊技に関する各種時間も併せて設定される。
【０２２３】
ステップＳ７２３の処理に続いて、メインＣＰＵ１０１は、メインＲＡＭ１０３に記憶されている大入賞口１３への遊技球の入賞数Ｙをリセットし（ステップＳ７２４）、同じくメインＲＡＭ１０３に記憶されている長当たり遊技中のラウンド数Ｒを「１」加算した値に更新する（ステップＳ７２５）。このラウンド数Ｒは、長当たり遊技開始前は「０」に設定されており、ステップＳ７２５の処理が行われる毎に「１」ずつ加算される。
【０２２４】
ステップＳ７２５の処理に続いて、メインＣＰＵ１０１は、大入賞口制御部１１６による大入賞口１３の開放制御を開始し（ステップＳ７２６）、この開放制御が開始されてからの経過時間である開放時間の計測を開始する（ステップＳ７２７）。そして、長開放ラウンド遊技が開始されたことを通知するラウンド開始コマンドをメインＲＡＭ１０３にセットする（ステップＳ７２８）。このステップＳ７２８の処理が行われると、後述するステップＳ７３５に処理が進められる。
【０２２５】
メインＣＰＵ１０１は、長当たり遊技におけるオープニング中ではないと判定した場合（ステップＳ７２１：ＮＯ）、例えばメインＲＡＭ１０３に記憶されている現在の状態が長当たり遊技におけるどの時点であるかを示す情報に基づいて、最終ラウンド終了直後のエンディング中であるか否かを判定する（ステップＳ７２９）。ここで、エンディング中であると判定された場合（ステップＳ７２９：ＹＥＳ）、後述するステップＳ７４４に処理が進められる。
【０２２６】
メインＣＰＵ１０１は、長当たり遊技におけるエンディング中ではないと判定した場合（ステップＳ７２９：ＮＯ）、例えばメインＲＡＭ１０３に記憶されている現在の状態が長当たり遊技におけるどの時点であるかを示す情報に基づいて、インターバル中（ラウンドと次のラウンドとの間）であるか否かを判定する（ステップＳ７３０）。ここで、インターバル中であると判定した場合（ステップＳ７３０：ＹＥＳ）、前回のラウンド終了時に大入賞口１３が閉塞してから、ステップＳ７２３の処理によって設定されたインターバル時間が経過したか否かを判定する（ステップＳ７３１）。ここで、インターバル時間が経過したと判定された場合（ステップＳ７３１：ＹＥＳ）、次のラウンドを開始するタイミングになっているため、上記ステップＳ７２４に処理が進められる。逆に、インターバル時間が経過していないと判定された場合（ステップＳ７３１：ＮＯ）、ステップＳ８の賞球処理に処理が進められる。
【０２２７】
一方、メインＣＰＵ１０１は、インターバル中ではないと判定した場合（ステップＳ７３０：ＮＯ）、ラウンド中であると判断して、大入賞口スイッチ１１５からの検知信号の入力の有無に基づいて、大入賞口スイッチ１１５が「ＯＮ」になったか否かを判定する（ステップＳ７３３）。ここで、大入賞口スイッチ１１５が「ＯＮ」になったと判定した場合（ステップＳ７３３：ＹＥＳ）、大入賞口１３に１個の遊技球が入賞したと判断して、メインＲＡＭ１０３に記憶されている遊技球の入賞数Ｙを「１」加算した値に更新する（ステップＳ７３４）。
【０２２８】
メインＣＰＵ１０１は、ステップＳ７２８の処理を実行した場合、ステップＳ７３４の処理を実行した場合、又は大入賞口スイッチ１１５が「ＯＮ」ではないと判定した場合（ステップＳ７３３：ＮＯ）、大入賞口１３の開放開始から規定開放時間が経過したか否かを判定する（ステップＳ７３５）。具体的には、上記ステップＳ７２７の処理によって計測が開始された開放時間が、予めメインＲＯＭ１０２に記憶されている規定開放時間（本実施形態では２９秒）に達したか否かを判定する。なお、短当たり遊技においては、当該規定開放時間が、例えば０．２秒に設定される。
【０２２９】
メインＣＰＵ１０１は、規定開放時間が経過していないと判定した場合（ステップＳ７３５：ＮＯ）、メインＲＡＭ１０３に記憶されている今回のラウンドにおける遊技球の入賞数Ｙが、予めメインＲＯＭ１０２に記憶されている大入賞口１３の閉塞タイミングを規定する遊技球数Ｙｍａｘ（例えば「９」）と一致するか否かを判定する（ステップＳ７３６）。ここで、入賞数Ｙが遊技球数Ｙｍａｘと一致しないと判定された場合（ステップＳ７３６：ＮＯ）、ステップＳ８の賞球処理に処理が進められる。
【０２３０】
一方、メインＣＰＵ１０１は、入賞数Ｙが遊技球数Ｙｍａｘと一致すると判定した場合（ステップＳ７３６：ＹＥＳ）、又は規定開放時間が経過したと判定した場合（ステップＳ７３５：ＹＥＳ）、大入賞口制御部１１６に大入賞口１３の開放制御を終了させる（ステップＳ７３７）。
【０２３１】
ステップＳ７３７の処理に続いて、メインＣＰＵ１０１は、メインＲＡＭ１０３に記憶されている長当たり遊技の現在のラウンド数Ｒが、上記ステップＳ７２３の処理によって設定されたラウンド数Ｒｍａｘと一致するか否かを判定する（ステップＳ７３８）。ここで、ラウンド数Ｒがラウンド数Ｒｍａｘと一致しないと判定した場合（ステップＳ７３８：ＮＯ）、次のラウンドの開始タイミングを制御するために、大入賞口１３が閉塞されてからの経過時間であるインターバル時間の計測を開始する（ステップＳ７３９）。このステップＳ７３９の処理によって計測が開始されたインターバル時間は、上記ステップＳ７３１の処理に使用される。なお、このステップＳ７３９の処理が実行された場合、ステップＳ８の賞球処理に処理が進められる。
【０２３２】
一方、メインＣＰＵ１０１は、ラウンド数Ｒがラウンド数Ｒｍａｘと一致すると判定した場合（ステップＳ７３８：ＹＥＳ）、エンディング時間の計測を開始し（ステップＳ７４０）、メインＲＡＭ１０３に記憶されているラウンド数Ｒをリセットし（ステップＳ７４１）、エンディングコマンドをメインＲＡＭ１０３にセットする（ステップＳ７４２）。このエンディングコマンドは、大入賞口１３の最後の開放が終了したことを通知するコマンドであり、ステップＳ９の送信処理によって演出制御基板１３０に送信される。
【０２３３】
メインＣＰＵ１０１は、ステップＳ７４２の処理を実行した場合、又はエンディング中であると判定した場合（ステップＳ７２９：ＹＥＳ）、エンディング時間が経過したか否かを判定する（ステップＳ７４４）。具体的には、上記ステップＳ７４０の処理によって計測を開始したエンディング時間が、上記ステップＳ７２３の処理によって設定された設定エンディング時間に達したか否かを判定する。ここで、エンディング時間が経過していないと判定された場合（ステップＳ７４４：ＮＯ）、ステップＳ８の賞球処理に処理が進められる。
【０２３４】
メインＣＰＵ１０１は、エンディング時間が経過したと判定した場合（ステップＳ７４４：ＹＥＳ）、長当たり遊技終了後のパチンコ遊技機１の遊技状態を設定する遊技状態設定処理を実行する（ステップＳ７４５）。そして、長当たり遊技を終了させるために、長当たり遊技フラグを「ＯＦＦ」に設定する（ステップＳ７４６）。
【０２３５】
［遊技制御基板１００による遊技状態設定処理］
図３２は、図３１のステップＳ７４５における遊技状態設定処理の詳細フローチャートである。この遊技状態設定処理は、長当たり遊技又は短当たり遊技が終了した後のパチンコ遊技機１の遊技状態を通常遊技状態又は時短遊技状態に設定するための処理である。
【０２３６】
まず、メインＣＰＵ１０１は、例えば長当たり遊技フラグ及び短当たり遊技フラグのいずれが「ＯＮ」に設定されているかに基づいて、今回行われた特別遊技が長当たり遊技であるか否かを判定する（ステップＳ７４５１）。ここで、長当たり遊技ではないと判定した場合（ステップＳ７４５１：ＮＯ）、すなわち、短当たり遊技フラグが「ＯＮ」に設定されている場合、ステップＳ７４５２に処理が進められる。
【０２３７】
本実施形態では、第１特別図柄判定の結果が突然時短当たりとなった場合にのみ短当たり遊技が行われるので、短当たり遊技が行われた後に、必ず時短が付与される。このため、メインＣＰＵ１０１は、ステップＳ７４５２において、時短遊技フラグを「ＯＮ」に設定する。そして、メインＣＰＵ１０１は、時短遊技残余回数Ｗを「１００」に設定する（ステップＳ７４５３）。
【０２３８】
一方、メインＣＰＵ１０１は、長当たり遊技であると判定した場合（ステップＳ７４５１：ＹＥＳ）、今回の長当たり遊技が小当たり遊技に続く長当たり遊技であるか否かを判定する（ステップＳ７４５４）。本実施形態では、小当たり遊技に続いて長当たり遊技が行われる場合、すなわち２種大当たりの場合、ステップＳ６２９（図２９参照）の処理によって長当たり遊技フラグが「ＯＮ」に設定される。これに対して、小当たり遊技が行われずに長当たり遊技のみが行われる場合、すなわち１種大当たりの場合、ステップＳ３１９３（図２５参照）によって長当たり遊技フラグが「ＯＮ」に設定される。このため、どちらの処理ステップによって長当たり遊技フラグが「ＯＮ」に設定されたかに基づいて、今回の長当たり遊技が小当たり遊技に続く長当たり遊技であるか否かを判定することができる。
【０２３９】
メインＣＰＵ１０１は、小当たり遊技に続く長当たり遊技ではないと判定した場合（ステップＳ７４５４：ＮＯ）、長当たり遊技開始時に第１特別図柄表示器４１又は第２特別図柄表示器４２に停止表示された大当たり図柄に基づいて、長当たり遊技終了後の時短の有無を判定する（ステップＳ７４５５）。逆に、小当たり遊技に続く長当たり遊技であると判定した場合（ステップＳ７４５４：ＹＥＳ）、小当たり遊技開始時に第２特別図柄表示器４２に停止表示された小当たり図柄に基づいて、長当たり遊技終了後の時短の有無を判定する（ステップＳ７４５６）。
【０２４０】
そして、メインＣＰＵ１０１は、ステップＳ７４５５又はステップＳ７４５６の判定結果が時短ありであるか否かを判定し（ステップＳ７４５７）、時短ありと判定した場合には（ステップＳ７４５７：ＹＥＳ）、上記ステップＳ７４５２及びステップＳ７４５３の処理を実行する。これにより、長当たり遊技が終了してから１００回の特別図柄判定が実行されるまでの間、第２始動口１２が開放され易い時短遊技状態で遊技が制御されることになる。これに対して、時短なしと判定された場合（ステップＳ７４５７：ＮＯ）、ステップＳ７４５２及びステップＳ７４５３の処理が行われないので、長当たり遊技が終了した後は、第２始動口１２が開放され難い通常遊技状態で遊技が制御されることになる。以上で図３２に示す遊技状態設定処理が終了する。
【０２４１】
［演出制御基板１３０によるタイマ割込み処理］
次に、演出制御部による演出制御について説明する。パチンコ遊技機１の電源が投入されると、演出制御基板１３０のサブＣＰＵ１３１は、後述するタイマ割込み処理を行う周期であるＣＴＣ周期を設定する。そして、サブＣＰＵ１３１は、演出内容を決定するために用いられる演出乱数等の各種乱数を更新する乱数更新処理をＣＴＣ周期よりも短い所定周期で繰り返す。すなわち、サブＣＰＵ１３１は、パチンコ遊技機１が起動している間、所定周期で乱数更新処理を繰り返しつつ、ＣＴＣ周期でタイマ割込み処理を繰り返す。
【０２４２】
以下、図３３を参照しつつ、演出制御基板１３０において実行されるタイマ割込み処理について説明する。ここで、図３３は、演出制御基板１３０において実行されるタイマ割込み処理の一例を示すフローチャートである。サブＣＰＵ１３１は、遊技制御基板１００で行われるタイマ割込み処理と同様に、図３３に例示されている一連の処理を一定時間（例えば４ミリ秒）毎に繰り返し実行する。なお、図３３のフローチャートに基づいて説明する演出制御基板１３０で行われる処理は、サブＲＯＭ１３２に記憶されているプログラムに基づいてサブＣＰＵ１３１が発行する命令に従って行われる。
【０２４３】
サブＣＰＵ１３１は、まず、コマンド制御処理を実行する（ステップＳ１０）。コマンド制御処理は、遊技制御基板１００からのコマンドを受信したことに応じて、演出を実行する処理である。具体的には、サブＣＰＵ１３１は、遊技制御基板１００から遊技情報としてのコマンドを受信し、受信したコマンドに応じて、演出の実行を指示するコマンドを画像音響制御基板１４０及びランプ制御基板１５０に送信する。これによって演出が実行される。このコマンド処理の詳細については、図３４に基づいて後に詳述する。
【０２４４】
ステップＳ１０の処理に続いて、サブＣＰＵ１３１は、演出ボタン２６又は演出キー２７からの操作情報の入力の有無に基づいて、演出ボタン２６又は演出キー２７が操作されたか否かを判定する（ステップＳ１１）。ここで、演出ボタン２６又は演出キー２７が操作されたと判定した場合（ステップＳ１１：ＹＥＳ）、その旨を通知するための操作コマンドをサブＲＡＭ１３３にセットする（ステップＳ１２）。この操作コマンドが、ステップＳ１０のコマンド処理が実行されることによって、画像音響制御基板１４０及びランプ制御基板１５０へ送信される。これにより、演出ボタン２６又は演出キー２７の操作に応じた演出上の効果を実現するための処理が行われる。
【０２４５】
［演出制御部によるコマンド制御処理］
以下、図３４〜図３６を参照しつつ、演出制御部によって実行されるコマンド制御処理（演出実行処理）について説明する。上述のように演出制御基板１３０が遊技制御基板１００からのコマンドを受信し、受信したコマンドに応じて、演出制御基板１３０は、画像音響制御基板１４０及びランプ制御基板１５０に演出の実行を指示するコマンドを送信する（ステップＳ１０）。このように、演出制御基板１３０、画像音響制御基板１４０及びランプ制御基板１５０による協働によって、演出が実行される。以下では、演出制御基板１３０、画像音響制御基板１４０及びランプ制御基板１５０を総称した演出制御部が、コマンド処理を実行するものとして説明する。ここで、図３４は、図３３のステップＳ１０におけるコマンド制御処理の詳細フローチャートである。
【０２４６】
まず、演出制御部は、遊技制御基板１００から送信された保留コマンドを受信したか否かを判定する（ステップＳ１３０１）。ここで、保留コマンドを受信していないと判定された場合（ステップＳ１３０１：ＮＯ）、後述するステップＳ１３０６に処理が進められる。
【０２４７】
演出制御部は、保留コマンドを受信したと判定した場合（ステップＳ１３０１：ＹＥＳ）、当該受信した保留コマンドを解析する（ステップＳ１３０２）。保留コマンドには、特別図柄判定の結果に関する情報や特別図柄の変動パターン（変動時間）等の事前判定情報が含まれる。ここでは、保留コマンドに含まれる事前判定情報を取得して解析することにより、この保留に係る特別図柄判定の結果や変動パターンを特定する。
【０２４８】
ステップＳ１３０２に続いて、演出制御部は、保留数を加算する（ステップＳ１３０３）。保留数を加算した後、演出制御部は、先読み予告演出判定処理を行う（ステップＳ１３０４）。先読み予告演出判定処理では、演出制御部は、事前判定情報に基づく事前判定を行い、受信した保留コマンドに対応する特別図柄の変動において実行される演出を決定する。
【０２４９】
以下、図３５を参照してステップＳ１３０４の先読み予告演出判定処理について説明する。図３５は、図３４のステップＳ１３０４の先読み予告演出判定処理の詳細フローチャートである。
【０２５０】
図３５に示すように、演出制御部は、まず、事前判定処理を行う（ステップＳ１３２１）。具体的には、演出制御部は、特別図柄判定の結果に関する情報や特別図柄の変動パターンに基づいて、特別図柄の変動に伴って行われる変動演出の内容を事前に判定する。
【０２５１】
より具体的には、演出制御部は、変動パターンに基づいて、受信した保留コマンドに対応する変動（先読み対象変動）において上記Ｓ図柄の停止を伴う擬似連演出を行うか否か、上記Ｓ図柄の停止を伴うＳ図柄リーチ演出を行うか否かを判定する。また、演出制御部は、先読み対象変動の前の変動（特定変動）においてＳ図柄を停止させる演出（Ｓ図柄本停止による先読み予告演出）を行った後に、先読み対象変動においてゾーン演出を行うか否かを判定する。
【０２５２】
図３７は、遊技制御基板１００において決定される大当たり時の変動パターンの一例を示す図である。図３８は、遊技制御基板１００において決定されるリーチ時の変動パターンの一例を示す図である。図３７及び図３８に示すように、遊技制御基板１００には、第１特別図柄判定の結果が大当たりのときに選択される大当たり用の変動パターンテーブル、当該結果がハズレであってリーチ有りのときに選択されるリーチ用の変動パターンテーブル等が記憶される。遊技制御基板１００は、選択した変動パターンテーブルと変動パターン乱数とに基づいて、１の変動パターンを決定し、当該変動パターンを保留コマンドに含めて、演出制御基板１３０に送信する。なお、遊技制御基板１００は、図３７及び図３８に示す一覧の他に様々な変動パターンを有していてもよい。
【０２５３】
また、遊技制御基板１００には、図３７及び図３８に示すテーブルの他に、ハズレであってリーチ無しのときに選択されるテーブルが記憶されており、当該テーブルには、変動時間の短い変動パターン（例えば、変動時間１０秒の変動パターンや変動時間８秒の変動パターン）が記憶されている。
【０２５４】
例えば、図３７に示すように、変動パターン１は、上記Ｓ図柄リーチ演出とは異なる通常リーチ演出（例えば、Ｓ図柄以外の偶数図柄を用いたリーチ）を示す変動パターンであり、この変動パターンが決定された場合は、特別図柄の変動時間は２０秒である。また、変動パターン２は、変動時間３０秒であり、特別図柄の変動開始時に変動パターン２を受信した演出制御部は、Ｓ図柄の仮停止を伴う擬似変動２回の演出を行い、特別図柄の変動停止時に大当たりの態様で装飾図柄５１を停止させる。また、変動パターン３は、変動時間６０秒であり、特別図柄の変動開始時に変動パターン３を受信した演出制御部は、Ｓ図柄の仮停止を伴う擬似変動３回の演出を行い、大当たりの態様で装飾図柄５１を停止させる。また、変動パターン５は、変動時間９０秒であり、特別図柄の変動開始時に変動パターン５を受信した演出制御部は、Ｓ図柄を仮停止を伴うＳ図柄リーチ演出を行った後、大当たりの態様で装飾図柄５１を停止させる演出を行う。また、変動パターン６は、変動時間９０秒であり、特別図柄の変動開始時に変動パターン６を受信した演出制御部は、上述したゾーン演出の最終変動における演出を行った後、大当たりの態様で装飾図柄５１を停止させる演出を行う。
【０２５５】
一方、特別図柄の変動開始時にリーチ用の変動パターンを受信した演出制御部は、上記大当たり用の変動パターンと類似する演出を行った後、ハズレの態様で装飾図柄５１を停止させる。例えば、変動パターン１２を受信した場合、演出制御部は、Ｓ図柄の仮停止を伴う擬似変動２回の演出を行い、特別図柄の変動停止時にハズレの態様で装飾図柄５１を停止させる。変動パターン１３、１４、１５、１６を受信した場合も同様に、演出制御部は、変動パターン３、４、５、６とそれぞれ類似した変動演出を行うが、装飾図柄５１をハズレの態様で停止させる。
【０２５６】
ステップＳ１３２１において、演出制御部は、受信した保留コマンドに含まれる変動パターンを特定することにより、先読み対象変動時においてどのような演出を行うかを判定する。
【０２５７】
なお、保留数が１の場合、すなわち、今回保留コマンドを受信する前に保留が０であった場合、演出制御部は、Ｓ図柄本停止による先読み予告演出を行うと判定しない。また、保留数が２以上であっても、上記特定変動において大当たりと判定されている場合は、演出制御部は、特定変動においてＳ図柄本停止による先読み予告演出を行うと判定しない。
【０２５８】
ステップＳ１３２１に続いて、演出制御部は、上記事前判定処理の結果、Ｓ図柄の停止を伴う擬似連を行うか否かを判定する（ステップＳ１３２２）。Ｓ図柄の停止を伴う擬似連を行うと判定した場合（ステップＳ１３２２：ＹＥＳ）、演出制御部は、受信した保留コマンドに対応する保留アイコンの表示態様を特定表示態様に設定する（ステップＳ１３２３）。ここで、特定表示態様は、Ｓ図柄が停止されることを示唆する態様である。なお、ステップＳ１３２３において、乱数を用いた抽選を行い、抽選の結果に応じて特定表示態様を設定するか否かが決定されてもよい。
【０２５９】
一方、Ｓ図柄の停止を伴う擬似連を行わないと判定した場合（ステップＳ１３２２：ＮＯ）、演出制御部は、Ｓ図柄の停止を伴うＳ図柄リーチ演出を行うか否かを判定する（ステップＳ１３２４）。Ｓ図柄の停止を伴うＳ図柄リーチ演出を行うと判定した場合（ステップＳ１３２４：ＹＥＳ）、演出制御部は、上記ステップＳ１３２３の処理を実行する。
【０２６０】
Ｓ図柄の停止を伴うＳ図柄リーチ演出を行わないと判定した場合（ステップＳ１３２４：ＮＯ）、演出制御部は、Ｓ図柄本停止による先読み予告演出を実行するか否かを判定する（ステップＳ１３２５）。
【０２６１】
具体的には、ステップＳ１３２５において、演出制御部は、まず、ステップＳ１３２１の事前判定処理において特定された先読み対象変動の変動パターンがゾーン演出に対応する変動パターンか否かを判定する。ゾーン演出に対応する変動パターン（変動パターン６又は変動パターン１６）である場合、演出制御部は、先読み対象変動の前の各変動における変動パターンに基づいて、ゾーン演出の実行期間を決定するとともに、ゾーン演出を開始する変動の直前の変動（特定変動）においてＳ図柄本停止による先読み予告演出を実行するか否かを判定する。
【０２６２】
より具体的には、演出制御部は、先読み対象変動の前の各変動における変動パターンが、変動時間の短い所定の変動パターンか否かを判定し、判定結果に基づいて、ゾーン演出の実行期間を決定する。また、演出制御部は、特定変動における変動パターンが上記所定の変動パターンか否かを判定し、判定結果に基づいて、特定変動においてＳ図柄本停止による先読み予告演出を実行するか否かを決定する。
【０２６３】
Ｓ図柄本停止による先読み予告演出を実行すると判定した場合（ステップＳ１３２５：ＹＥＳ）、演出制御部は、受信した保留コマンドに対応する保留アイコンよりも前の保留アイコンを特定表示態様に設定する（ステップＳ１３２６）。すなわち、ステップＳ１３２６では、上記特定変動に対応する保留アイコンの表示態様が、設定される。
【０２６４】
図３９は、ゾーン演出が１変動において行われる場合における特定変動に対応する保留アイコンの表示態様が変化する様子を示す図である。図４０は、ゾーン演出が３変動にわたって行われる場合における特定変動に対応する保留アイコンの表示態様が変化する様子を示す図である。
【０２６５】
図３９に示すように、保留４に係る保留コマンドを受信した場合に、当該保留４の変動パターンがゾーン演出に対応する変動パターンであったとする。この場合、演出制御部は、ゾーン演出の実行期間を定める。具体的には、演出制御部は、保留４（先読み対象）よりも前の保留１〜保留３の変動パターンに基づいて、ゾーン演出の実行期間を定める。ゾーン演出の最終変動（保留４）以外の変動では大当たりとならず、かつ、変動時間の長い変動パターンとならないように、演出制御部は、ゾーン演出の実行期間を定める。
【０２６６】
例えば、図３９に示すように、演出制御部は、保留２がＳ図柄リーチ演出に対応する変動パターン（変動パターン５又は変動パターン１５）である場合、保留２をゾーン演出に含めない。この場合、演出制御部は、保留３及び保留４の２変動をゾーン演出の実行期間として定めるか、又は、保留４の１変動をゾーン演出の実行期間として定める。図３９に示すように、保留４の１変動をゾーン演出の実行期間として定めた場合、演出制御部は、直前の変動である保留３に係る変動を上記特定変動として決定し、当該特定変動においてＳ図柄本停止による先読み予告演出を実行すると決定する。なお、保留３及び保留４の２変動をゾーン演出の実行期間として定めた場合、ゾーン演出の直前の変動（保留２に係る変動）では、変動時間の長い変動パターン（又は大当たり）であるため、演出制御部は、当該保留２に係る変動においてＳ図柄本停止による先読み予告演出を実行しないと決定する。従って、この場合、Ｓ図柄本停止による先読み予告演出が行われることなく、保留３の変動においてゾーンに突入する（ゾーン演出が開始される）。
【０２６７】
また、図４０に示すように、保留４に係る保留コマンドを受信した場合に、当該保留４の変動パターンがゾーン演出に対応する変動パターンであったとする。この場合において、演出制御部は、保留１〜保留３の変動パターンが所定の変動パターンである場合、保留２〜保留４においてゾーン演出を行うと決定するとともに、保留１を特定変動として決定する。すなわち、演出制御部は、保留１の変動において、Ｓ図柄本停止による先読み予告演出を実行すると決定する。これにより、保留１に係る変動の変動停止時にＳ図柄が本停止し、保留２に係る変動においてゾーン突入の演出が行われる。
【０２６８】
なお、演出制御部は、受信した保留コマンドに係る変動（先読み対象変動）の直前の変動における変動パターンが所定の変動パターンでない場合、すなわち、変動時間の長い変動パターンである場合、当該直前の変動を上記特定変動として決定しない。このように、演出制御部は、先読み対象変動の前の各変動が所定の条件（ハズレであって、かつ、変動時間の短い変動パターンであること）を満たすか否かを判定し、所定の条件を満たす場合は、ゾーン演出の実行期間を定めるとともに、ゾーン演出を開始する前の変動を特定変動として決定する。そして、演出制御部は、ステップＳ１３２６において、特定変動に対応する保留アイコンを特定表示態様に設定する。
【０２６９】
ステップＳ１３２６に続いて、演出制御部は、Ｓ図柄先読みフラグをＯＮに設定する（ステップＳ１３２７）。ここで、Ｓ図柄先読みフラグは、上述したＳ図柄本停止による先読み予告演出を行うか否かを示すフラグである。Ｓ図柄先読みフラグは、上記特定変動に対応付けられて管理され、このＳ図柄先読みフラグがＯＮにされた変動では、変動停止時にＳ図柄が右領域５１ｃに停止する。
【０２７０】
ステップＳ１３２３の処理を行った場合、ステップＳ１３２５でＮＯと判定した場合、又は、ステップＳ１３２７の処理を行った場合、演出制御部は、図３５に示す処理を終了して、図３４に処理を戻す。
【０２７１】
図３４に戻り、演出制御部は、受信した保留コマンドに対応する保留アイコン５２をメイン液晶表示装置５に表示させる（ステップＳ１３０５）。ここでは、演出制御部は、既に保留アイコン５２がメイン液晶表示装置５に表示されている場合は、その表示されている保留アイコン５２の左側に新たに保留アイコン５２を表示させる。この場合において、演出制御部は、新たに増加させる保留アイコン５２を、上記ステップＳ１３０４で設定した特定表示態様で表示させる。
【０２７２】
ステップＳ１３０５に続いて、演出制御部は、遊技制御基板１００から変動開始コマンドを受信したか否かを判定する（ステップＳ１３０６）。ここで、変動開始コマンドを受信していないと判定した場合（ステップＳ１３０６：ＮＯ）、演出制御部は、後述するステップＳ１３１１の処理を実行する。
【０２７３】
変動開始コマンドを受信したと判定した場合（ステップＳ１３０６：ＹＥＳ）、演出制御部は、その変動開始コマンドを解析する（ステップＳ１３０７）。変動開始コマンドには、特別図柄判定の結果に関する情報（大当たりか否か、リーチの有無等）や特別図柄の変動パターン、パチンコ遊技機１の遊技状態を示す情報等が含まれている。したがって、変動開始コマンドを解析することによって、特別図柄判定の結果を特定し、リーチ有り演出とリーチ無し演出のどちらを行う必要があるのかを判断し、特別図柄の変動パターン（変動時間）を特定し、パチンコ遊技機１の遊技状態を特定することが可能である。
【０２７４】
ステップＳ１３０７に続いて、演出制御部は、変動演出決定処理を実行する（ステップＳ１３０８）。変動演出決定処理では、演出制御部は、ステップＳ１３０７の解析結果に基づいて、特別図柄の変動中に行われる変動演出を決定する。
【０２７５】
以下、図３６を参照してステップＳ１３０８の変動演出決定処理について説明する。図３６は、図３４のステップＳ１３０８の変動演出決定処理の詳細フローチャートである。
【０２７６】
図３６に示すように、演出制御部は、Ｓ図柄先読みフラグがＯＮか否かを判定する（ステップＳ１３３１）。具体的には、演出制御部は、今回の変動においてＳ図柄先読みフラグがＯＮにされているか否かを判定する。Ｓ図柄先読みフラグがＯＮである場合（ステップＳ１３３１：ＹＥＳ）、演出制御部は、Ｓ図柄本停止による先読み予告演出に対応する変動演出を選択する（ステップＳ１３３２）。これにより、特別図柄の変動停止に応じて、Ｓ図柄が右領域５１ｃに停止する。
【０２７７】
一方、Ｓ図柄先読みフラグがＯＮでない場合（ステップＳ１３３１：ＮＯ）、演出制御部は、変動開始コマンドに含まれる変動パターンに応じた変動演出を選択する。ここで選択される変動演出は、事前判定において決定された変動演出と同じである。例えば、上記Ｓ図柄の停止を伴う擬似連が選択されたり、Ｓ図柄の停止を伴うＳ図柄リーチ演出が選択されたり、その他の演出が選択されたりする。
【０２７８】
ステップＳ１３３２の処理を行った場合、又は、ステップＳ１３３３の処理を行った場合、演出制御部は、図３６に示す処理を終了して、図３４に処理を戻す。
【０２７９】
図３４に戻り、演出制御部は、ステップＳ１３０８で決定した変動演出を開始する（ステップＳ１３０９）。これにより、装飾図柄５１がメイン液晶表示装置５において変動表示されるとともに、所定の演出（キャラクタ等による演出）が行われる。
【０２８０】
ステップＳ１３０９に続いて、演出制御部は、保留更新処理を行う（ステップＳ１３１０）。保留更新処理が行われると、保留数が１だけ減算されるとともに、最も右側の保留アイコン５２が変動中の領域に移動して、その他の保留アイコン５２も右側に１つシフトする。保留アイコン５２が右方向にシフトしても、特定表示態様の保留アイコン５２はそのままの表示態様で維持される。
【０２８１】
また、保留更新処理では、Ｓ図柄本停止による先読み予告演出が行われる変動（上記特定変動）に対応する保留アイコン５２の表示態様を、上記ステップＳ１３２６で設定した特定表示態様に変化させる。特定変動に対応する保留アイコン５２が増加される時点では、その変動においてＳ図柄本停止による先読み予告演出が行われることは決定されていない。このため、特定変動に対応する保留アイコン５２の増加時に表示態様を変化させることはできない。従って、演出制御部は、ステップＳ１３１０において、既に表示されている保留アイコン５２に対応する上記Ｓ図柄先読みフラグがＯＮか否かを判定して、ＯＮである場合には、その保留アイコン５２を特定表示態様に変化させる。
【０２８２】
なお、上記ステップＳ１３２３が実行されて保留アイコン５２に特定表示態様が設定された場合、その保留アイコン５２の増加時に特定表示態様で表示させずに、次以降の変動開始時に、ステップＳ１３１０において保留アイコン５２を特定表示態様に変化させてもよい。これにより、保留アイコン５２の変化のタイミングによって、どの演出が行われるのかを遊技者に予測させ難くすることができる。すなわち、Ｓ図柄の停止を伴う擬似連、又はＳ図柄の停止を伴うＳ図柄リーチ演出が行われる場合において、必ず保留アイコン増加時に特定表示態様で表示されると、上記Ｓ図柄本停止による先読み予告演出ではなく、これらのうちの何れかの演出が行われることが容易に推測できる。逆に、表示されている保留アイコン５２が、特別図柄の変動開始時に特定表示態様に変化した場合は、上記Ｓ図柄本停止による先読み予告演出が行われることが容易に推測できる。しかしながら、保留アイコン５２の変化のタイミングを変動開始時に統一することで、これらＳ図柄が停止する３つの演出のうちの何れの演出が行われるかについて、予測することが困難となる。
【０２８３】
一方、変動開始コマンドを受信しなかった場合（ステップＳ１３０６：ＮＯ）、演出制御部は、変動停止コマンドを受信したか否かを判定する（ステップＳ１３１１）。変動停止コマンドを受信した場合（ステップＳ１３１１：ＹＥＳ）、演出制御部は、装飾図柄の停止処理を行う（ステップＳ１３１２）。
【０２８４】
このステップＳ１３１２の処理によって、メイン液晶表示装置５において、装飾図柄５１が停止表示される。これにより、Ｓ図柄本停止による先読み予告演出が行わる変動であった場合は、演出制御部は、Ｓ図柄を右領域５１ｃに停止させるとともに、他の領域に他の種類の図柄を停止させて、装飾図柄５１を停止表示させる。
【０２８５】
ステップＳ１３１０の処理を行った場合、ステップＳ１３１１でＮＯと判定した場合、又は、ステップＳ１３１２の処理を行った場合、演出制御部は、図３４に示す処理を終了する。
【０２８６】
なお、演出制御部は、上述した処理に加えて、遊技制御基板１００からオープニングコマンド、ラウンド開始コマンド、エンディングコマンド、客待ちコマンド等を受信し、受信したコマンドに応じた処理を実行する。これらの処理の詳細については説明を省略する。
【０２８７】
［本実施形態の作用効果］
以上のように、本実施形態では、Ｓ図柄が停止した場合に様々な演出に発展し、そのＳ図柄が停止することを事前に示唆する。このように、Ｓ図柄が停止することに事前に示唆することにより、Ｓ図柄が停止して様々な演出に発展することを遊技者に期待させることができ、興趣性を向上させることができる。
【０２８８】
また、本実施形態では、Ｓ図柄の停止位置によって発展する演出が異なる。Ｓ図柄がどの領域に停止するについては示唆せずに、Ｓ図柄が停止するということのみを事前に示唆する場合は、どの演出に発展するかについて遊技者に期待感を抱かせることができる。
【０２８９】
また、Ｓ図柄の停止位置も含めて事前に示唆する場合は、発展する演出を事前に示唆することができる。
【０２９０】
［変形例］
なお、本発明は上記実施形態に限定されるものではなく、例えば以下の形態であってもよい。
【０２９１】
例えば、上記実施形態では、Ｓ図柄を右領域５１ｃに停止させることによって、次の変動における演出を示唆（次の変動において大当たりとなる信頼度が高いことを示唆）した。他の実施形態では、特定の停止態様で装飾図柄５１を停止させることによって、次の変動に対する示唆を行ってもよい。例えば、特定の図柄配列で装飾図柄５１を停止させることで、次の変動に対する示唆を行ってもよい。
【０２９２】
また、他の実施形態では、Ｓ図柄を右領域５１ｃに停止させることによって、次以降の変動（保留１〜保留４のうちの何れか）に対する予告を行ってもよい。すなわち、他の実施形態では、事前判定の対象（図１４の保留３）の直前の変動（保留２）に限らず、事前判定の対象よりも前の変動（保留１又は保留２）における装飾図柄５１の停止態様を、当該事前判定の結果に基づいて決定し、当該事前判定の対象の変動（保留３）においてのみ特定の演出を行ってもよい。また、他の実施形態では、Ｓ図柄本停止による先読み予告演出を複数の連続する変動（例えば、現在の変動及び保留１の変動）において行ってもよい。
【０２９３】
また、上記実施形態では、Ｓ図柄が停止（仮停止又は本停止）することを、保留アイコン５２を用いて事前に予告する例（図１３、図１４）及び画像５４を用いて事前に予告する例（図１５）について説明した。他の実施形態では、Ｓ図柄が停止することを事前に示唆するものであれば、どのような方法が用いられてもよい。例えば、所定の演出用役物を動作させることによって、Ｓ図柄が停止することを事前に示唆してもよい。また、Ｓ図柄が停止することを、そのＳ図柄が停止する変動の開始前に限らず、その変動中にも事前に（Ｓ図柄が実際に停止する前に）示唆してもよい。
【０２９４】
また、上記実施形態では、Ｓ図柄の停止位置によってそれぞれ異なる演出に発展させたが、Ｓ図柄の停止位置と発展する演出との対応は上述した例に限らず、どのように対応付けられてもよい。また、上述した演出の例は単なる一例であって、Ｓ図柄の停止に応じて他の演出に発展してもよい。
【０２９５】
また、上記実施形態では、液晶表示装置を用いて装飾図柄を変動表示させたが、他の実施形態では、ドラムを機械的に回転させることで装飾図柄を変動表示させてもよい。
【０２９６】
また、上記実施形態では１種２種混合タイプのパチンコ遊技機を想定したが、このタイプに限らず、他の任意のタイプのパチンコ遊技機にも本発明は適用可能である。
【０２９７】
また、上記実施形態において説明したパチンコ遊技機１の構成は単なる一例に過ぎず、他の構成であっても本発明を実現できることは言うまでもない。また、上述したフローチャートにおける処理の順序、設定値、判定に用いられる閾値等は単なる一例に過ぎず、本発明の範囲を逸脱しなければ他の順序や値であっても、本発明を実現できることは言うまでもない。
【０２９８】
また、上記実施形態では、本発明がパチンコ遊技機に適用された場合を例に説明したが、本発明は、例えばスロットマシン等の他の遊技機にも適用可能である。
【０２９９】
以上のように、本発明では、以下に示す構成の遊技機であってもよい。
【０３００】
本発明の遊技機は、始動条件の成立に応じて、取得情報を取得する取得手段（Ｓ２１）と、前記取得情報に基づいて、当たりか否かの当たり判定を行う当たり判定手段（Ｓ３０７）と、図柄表示手段（４１）において所定の図柄（特別図柄）を変動させてから停止させることにより、前記当たり判定の結果を報知する図柄表示制御手段（Ｓ３１０、Ｓ３１７）と、前記所定の図柄が変動されているときに前記取得手段によって前記取得情報が取得された場合、当該取得情報を前記当たり判定の権利として保留する保留記憶手段（Ｓ２１４）と、前記保留記憶手段に保留された前記当たり判定の権利に対する事前判定を行う事前判定手段（Ｓ２１８、Ｓ１３０４）と、前記事前判定の結果に基づいて、所定の示唆演出を行う示唆演出実行手段（Ｓ１３２６、Ｓ１３１０）と、演出図柄表示手段（５）において、複数の演出図柄を前記所定の図柄が変動したことに応じて変動させ、前記所定の図柄が停止したことに応じて停止させる演出制御手段と、を備え、前記演出制御手段は、前記事前判定の対象となった権利に係る前記所定の図柄の変動よりも前の変動（以下、特定変動）において、前記所定の図柄が停止された場合に、当該事前判定の結果に基づいて決定された特定の態様（Ｓ図柄が右領域５１ｃに本停止する態様）で前記演出図柄を停止させる第１演出制御手段を含み、前記示唆演出実行手段は、前記事前判定の結果に基づいて、前記特定変動において前記特定の態様で前記演出図柄が停止することを事前に示唆する示唆演出を行う。
【０３０１】
上記によれば、事前判定の結果に基づいて、上記特定変動において特定の態様で演出図柄が停止させるとともに、当該特定の態様で演出図柄が停止することを事前に示唆することができる。
【０３０２】
また、他の構成では、前記第１演出制御手段は、前記特定の態様として、特定の演出図柄（Ｓ図柄）を前記演出図柄表示手段に停止させ、前記示唆演出実行手段は、前記特定の演出図柄が停止することを示唆してもよい。
【０３０３】
上記によれば、事前判定の結果に基づいて特定の演出図柄を停止させることができる。
【０３０４】
また、他の構成では、前記第１演出制御手段は、前記特定変動において前記所定の図柄が停止された場合に前記特定の演出図柄を停止させた後、前記事前判定の対象となった権利に係る変動において第１特定演出（ゾーン演出）を行ってもよい。
【０３０５】
上記によれば、特定変動において特定の演出図柄を停止させた後、事前判定の対象となった権利に係る変動において第１特定演出を実行することができる。これにより、第１特定演出が行われることを特定の演出図柄を停止させることによって予告するとともに、この特定の演出図柄が停止することををさらに予告することができる。
【０３０６】
また、他の構成では、前記演出制御手段は、前記図柄表示制御手段による前記所定の図柄の変動中に、当該変動に係る前記取得情報に基づいて、前記特定の演出図柄を前記演出図柄表示手段に仮停止させた後、当該変動中に第２特定演出（擬似連、Ｓ図柄リーチ演出）を実行する第２演出制御手段を含み、前記示唆演出実行手段は、前記第２演出制御手段によって前記特定の演出図柄が仮停止されることをも示唆してもよい。
【０３０７】
上記によれば、特定の演出図柄を仮停止させた後に第２特定演出を実行するとともに、特定の演出図柄が仮停止されることを示唆することができる。特定の演出図柄が停止又は仮停止することを示唆することで、第１特定演出又は第２特定演出が行われることを示唆することができる。
【０３０８】
また、他の構成では、前記保留記憶手段に保留された前記当たり判定の権利を示す保留画像（５２）を表示する保留画像表示手段をさらに備え、前記示唆演出実行手段は、前記保留画像を用いて前記示唆演出を行ってもよい。
【０３０９】
上記によれば、保留画像を用いて示唆演出を行うことができる。
【符号の説明】
【０３１０】
１    パチンコ遊技機（遊技機の一例）
４    表示器
５    メイン液晶表示装置
６    サブ液晶表示装置
１０    遊技領域
１１    第１始動口
１２    第２始動口
１３    大入賞口
１６    ゲート
１７    電動チューリップ
１９    特定入賞口
２４    スピーカ
４１    第１特別図柄表示器
４２    第２特別図柄表示器
５１    装飾図柄
５２    保留アイコン
９０    羽根部材
９１    案内部材
９２    Ｖ入賞口
９３    ハズレ入賞口
９４    スライド部材
１００    遊技制御基板
１０１    メインＣＰＵ
１０２    メインＲＯＭ
１０３    メインＲＡＭ
１３０    演出制御基板
１３１    サブＣＰＵ
１３２    サブＲＯＭ
１３３    サブＲＡＭ
１３４    ＲＴＣ
１４０    画像音響制御基板
１５０    ランプ制御基板
【図１】
0005624198.tif 000002
【図２】
0005624198.tif 000003
【図３】
0005624198.tif 000004
【図４】
0005624198.tif 000005
【図５】
0005624198.tif 000006
【図６】
0005624198.tif 000007
【図７】
0005624198.tif 000008
【図８】
0005624198.tif 000009
【図９】
0005624198.tif 000010
【図１０】
0005624198.tif 000011
【図１１】
0005624198.tif 000012
【図１２】
0005624198.tif 000013
【図１３】
0005624198.tif 000014
【図１４】
0005624198.tif 000015
【図１５】
0005624198.tif 000016
【図１６】
0005624198.tif 000017
【図１７】
0005624198.tif 000018
【図１８】
0005624198.tif 000019
【図１９】
0005624198.tif 000020
【図２０】
0005624198.tif 000021
【図２１】
0005624198.tif 000022
【図２２】
0005624198.tif 000023
【図２３】
0005624198.tif 000024
【図２４】
0005624198.tif 000025
【図２５】
0005624198.tif 000026
【図２６】
0005624198.tif 000027
【図２７】
0005624198.tif 000028
【図２８】
0005624198.tif 000029
【図２９】
0005624198.tif 000030
【図３０】
0005624198.tif 000031
【図３１】
0005624198.tif 000032
【図３２】
0005624198.tif 000033
【図３３】
0005624198.tif 000034
【図３４】
0005624198.tif 000035
【図３５】
0005624198.tif 000036
【図３６】
0005624198.tif 000037
【図３７】
0005624198.tif 000038
【図３８】
0005624198.tif 000039
【図３９】
0005624198.tif 000040
【図４０】
0005624198.tif 000041